(57)【要約】【課題】基地局と端末が通信する無線通信システムにおいて、基地局が端末に対する制御情報を効率的に通知する。【解決手段】第１の制御チャネルとは異なる第２の制御チャネルを生成する第２の制御チャネル生成部を備え、第２の制御チャネルは、所定のＥ−ＲＥＧに関連付けられる、１つ以上のＥ−ＣＣＥを用い、Ｅ−ＲＥＧは、第１のリソースブロックおよび第２のリソースブロックのそれぞれにおいて、所定のリソースエレメントに関連付けられ、ＯＦＤＭシンボルにおけるＥ−ＲＥＧに関連付けられるリソースエレメントは、周波数方向に所定数の前記リソースブロックにおいて、ＯＦＤＭシンボルが時間方向に進むにつれて、所定のシフト数を用いて、周波数方向に巡回的にシフトする。【選択図】図９
2014023018.tif 000002
【特許請求の範囲】
【請求項１】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と通信する基地局であって、
第１の制御チャネルとは異なるアンテナポートの参照信号を用いて送信される第２の制御チャネルを生成する第２の制御チャネル生成部を備え、
前記第２の制御チャネルは、所定のＥ−ＲＥＧに関連付けられる、１つ以上のＥ−ＣＣＥを用いて、前記端末に送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、基地局。
【請求項２】
前記第２の制御チャネルが局所マッピングを用いて送信される場合、前記第２の制御チャネルの送信に用いられる前記Ｅ−ＣＣＥは、１つの前記リソースブロックペアにおける複数の前記Ｅ−ＲＥＧに関連付けられ、
前記第２の制御チャネルが分散マッピングを用いて送信される場合、前記第２の制御チャネルの送信に用いられる前記Ｅ−ＣＣＥは、複数の前記リソースブロックペアにおける複数の前記Ｅ−ＲＥＧに関連付けられる、請求項１に記載の基地局。
【請求項３】
前記第１のリソースブロックに関連付けられる前記Ｅ−ＲＥＧの所定数と、前記第２のリソースブロックに関連付けられる前記Ｅ−ＲＥＧの所定数とは等しい、請求項１または２に記載の基地局。
【請求項４】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、基地局と通信する端末であって、
第１の制御チャネルとは異なるアンテナポートの参照信号を用いて、第２の制御チャネルを検出する制御チャネル処理部を備え、
前記第２の制御チャネルは、所定のＥ−ＲＥＧに関連付けられる、１つ以上のＥ−ＣＣＥを用いて、前記基地局から送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、端末。
【請求項５】
前記第２の制御チャネルが局所マッピングを用いて送信される場合、前記第２の制御チャネルの送信に用いられる前記Ｅ−ＣＣＥは、１つの前記リソースブロックペアにおける複数の前記Ｅ−ＲＥＧに関連付けられ、
前記第２の制御チャネルが分散マッピングを用いて送信される場合、前記第２の制御チャネルの送信に用いられる前記Ｅ−ＣＣＥは、複数の前記リソースブロックペアにおける複数の前記Ｅ−ＲＥＧに関連付けられる、請求項４に記載の端末。
【請求項６】
前記第１のリソースブロックに関連付けられる前記Ｅ−ＲＥＧの所定数と、前記第２のリソースブロックに関連付けられる前記Ｅ−ＲＥＧの所定数とは等しい、請求項４または５に記載の端末。
【請求項７】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と基地局とが通信する通信システムであって、
前記基地局は、
第１の制御チャネルとは異なるアンテナポートの参照信号を用いて送信される第２の制御チャネルを生成する第２の制御チャネル生成部を備え、
前記端末は、
前記第２の制御チャネルを検出する制御チャネル処理部を備え、
前記第２の制御チャネルは、所定のＥ−ＲＥＧに関連付けられる、１つ以上のＥ−ＣＣＥを用いて、前記基地局から前記端末に送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、通信システム。
【請求項８】
前記第２の制御チャネルが局所マッピングを用いて送信される場合、前記第２の制御チャネルの送信に用いられる前記Ｅ−ＣＣＥは、１つの前記リソースブロックペアにおける複数の前記Ｅ−ＲＥＧに関連付けられ、
前記第２の制御チャネルが分散マッピングを用いて送信される場合、前記第２の制御チャネルの送信に用いられる前記Ｅ−ＣＣＥは、複数の前記リソースブロックペアにおける複数の前記Ｅ−ＲＥＧに関連付けられる、請求項７に記載の通信システム。
【請求項９】
前記第１のリソースブロックに関連付けられる前記Ｅ−ＲＥＧの所定数と、前記第２のリソースブロックに関連付けられる前記Ｅ−ＲＥＧの所定数とは等しい、請求項７または８に記載の通信システム。
【請求項１０】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と通信する基地局の通信方法であって、
第１の制御チャネルとは異なるアンテナポートの参照信号を用いて送信される第２の制御チャネルを生成するステップを有し、
前記第２の制御チャネルは、所定のＥ−ＲＥＧに関連付けられる、１つ以上のＥ−ＣＣＥを用いて、前記端末に送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、通信方法。
【請求項１１】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、基地局と通信する端末の通信方法であって、
第１の制御チャネルとは異なるアンテナポートの参照信号を用いて、第２の制御チャネルを検出するステップを有し、
前記第２の制御チャネルは、所定のＥ−ＲＥＧに関連付けられる、１つ以上のＥ−ＣＣＥを用いて、前記基地局から送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、通信方法。
【請求項１２】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と通信する基地局の集積回路であって、
第１の制御チャネルとは異なるアンテナポートの参照信号を用いて送信される第２の制御チャネルを生成する機能を実現し、
前記第２の制御チャネルは、所定のＥ−ＲＥＧに関連付けられる、１つ以上のＥ−ＣＣＥを用いて、前記端末に送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、集積回路。
【請求項１３】
ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、基地局と通信する端末の集積回路であって、
第１の制御チャネルとは異なるアンテナポートの参照信号を用いて、第２の制御チャネルを検出する機能を実現し、
前記第２の制御チャネルは、所定のＥ−ＲＥＧに関連付けられる、１つ以上のＥ−ＣＣＥを用いて、前記基地局から送信され、
前記Ｅ−ＲＥＧは、前記第１のリソースブロックおよび第２のリソースブロックのそれぞれにおいて、所定の前記リソースエレメントに関連付けられ、
前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする、集積回路。
【発明の詳細な説明】
【技術分野】
【０００１】
本発明は、基地局、端末、通信システム、通信方法および集積回路に関する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような無線通信システムでは、基地局（セル、送信局、送信装置、ｅＮｏｄｅＢ）および端末（移動端末、受信局、移動局、受信装置、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。
【０００３】
このような無線通信システムにおいて、基地局は、端末に対して下りリンクデータ（下りリンク共用チャネル（ＤＬ−ＳＣＨ；Ｄｏｗｎｌｉｎｋ  Ｓｈａｒｅｄ  Ｃｈａｎｎｅｌ）に対するトランスポートブロック）を送信する場合、基地局と端末との間において既知の信号である復調用参照信号（ＤＭＲＳ；Ｄｅｍｏｄｕｌａｔｉｏｎ  Ｒｅｆｅｒｅｎｃｅ  Ｓｉｇｎａｌｓとも呼称される）を多重して送信する。ここで、復調用参照信号は、ユーザー装置スペシフィック参照信号（ＵＥ−ｓｐｅｃｉｆｉｃ  ＲＳ、端末固有（特有）のＲＳ）とも呼称される。以下、復調用参照信号を、単に、参照信号とも記載する。
【０００４】
例えば、参照信号は、プレコーディング処理が適用される前に、下りリンクデータと多重される。そのため、端末は、参照信号を用いることによって、適用されたプレコーディング処理および伝送路状態を含めた等化チャネルを測定することができる。すなわち、端末は、基地局によって適用されたプレコーディング処理を通知されなくても、下りリンクデータを復調することができる。
【０００５】
ここで、下りリンクデータは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、参照信号は、ＰＤＳＣＨの復調に使用される。また、例えば、参照信号は、対応するＰＤＳＣＨがマップされるリソースブロック（物理リソースブロック、リソースとも呼称される）でのみ送信される。
【０００６】
ここで、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）を用いた無線通信システムが検討されている。図１８は、ヘテロジーニアスネットワーク配置を用いた無線通信システムの概要図である。図１８に示すように、例えば、ヘテロジーニアスネットワークは、マクロ基地局１８０１、ＲＲＨ１８０２、ＲＲＨ１８０３によって構成される。
【０００７】
図１８において、マクロ基地局１８０１はカバレッジ１８０５を構築し、ＲＲＨ１８０２およびＲＲＨ１８０３はそれぞれカバレッジ１８０６およびカバレッジ１８０７を構築している。また、マクロ基地局１８０１は、ＲＲＨ１８０２と回線１８０８を通じて接続しており、ＲＲＨ１８０３と回線１８０９を通じて接続している。これにより、マクロ基地局１８０１は、ＲＲＨ１８０２およびＲＲＨ１８０３と、データ信号や制御信号（制御情報）を送受信することができる。ここで、例えば、回線１８０８および回線１８０９には、光ファイバ等の有線回線やリレー技術を用いた無線回線が利用される。この際、マクロ基地局１８０１、ＲＲＨ１８０２、ＲＲＨ１８０３の一部または全てが、同一のリソースを用いることで、カバレッジ１８０５のエリア内の総合的な周波数利用効率（伝送容量）を向上することができる。
【０００８】
また、端末１８０４は、カバレッジ１８０６の中に位置している場合、ＲＲＨ１８０２とシングルセル通信を行うことができる。また、端末１８０４がカバレッジ１８０６の端付近（セルエッジ）に位置する場合、マクロ基地局１８０１からの同一チャネルの干渉に対する対策が必要になる。ここで、マクロ基地局１８０１とＲＲＨ１８０２とのマルチセル通信（協調通信）として、隣接基地局間で互いに協調する基地局間協調通信を行うことによって、セルエッジ領域の端末１８０４に対する干渉を軽減または抑圧する方法が検討されている。例えば、基地局間協調通信による干渉の軽減または抑圧に対する方式として、ＣｏＭＰ（Ｃｏｏｐｅｒａｔｉｖｅ  Ｍｕｌｔｉｐｏｉｎｔ）伝送方式などが検討されている（非特許文献１）。
【先行技術文献】
【非特許文献】
【０００９】
【非特許文献１】3rd Generation Partnership Project; Technical Specification Group Radio Access Network; Coordinated multi-point operation for LTE physical layer aspects (Release 11)、2011年9月、3GPP TR 36.819 V11.0.0 (2011-09)。
【発明の概要】
【発明が解決しようとする課題】
【００１０】
しかしながら、ヘテロジーニアスネットワーク配置および／またはＣｏＭＰ伝送方式等において、基地局から端末に対する制御情報の通知方法として従来方法を用いる場合、制御情報の通知領域のキャパシティの問題が生じる。その結果、基地局から端末に対する制御情報を効率的に通知することが出来ないため、基地局と端末との通信における伝送効率の向上が妨げられる要因となる。
【００１１】
本発明は、上記問題を鑑みてなされたものであり、その目的は、基地局と端末が通信する通信システムにおいて、基地局が端末に対する制御情報を効率的に通知することができる基地局、端末、通信システム、通信方法および集積回路を提供することにある。
【課題を解決するための手段】
【００１２】
（１）この発明は上述した課題を解決するためになされたもので、本発明の一態様による基地局は、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と通信する基地局であって、第１の制御チャネルとは異なるアンテナポートの参照信号を用いて送信される第２の制御チャネルを生成する第２の制御チャネル生成部を備え、前記第２の制御チャネルは、所定のＥ−ＲＥＧに関連付けられる、１つ以上のＥ−ＣＣＥを用いて、前記端末に送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【００１３】
（２）また、本発明の一態様による基地局は上記の基地局であって、前記第２の制御チャネルが局所マッピングを用いて送信される場合、前記第２の制御チャネルの送信に用いられる前記Ｅ−ＣＣＥは、１つの前記リソースブロックペアにおける複数の前記Ｅ−ＲＥＧに関連付けられ、前記第２の制御チャネルが分散マッピングを用いて送信される場合、前記第２の制御チャネルの送信に用いられる前記Ｅ−ＣＣＥは、複数の前記リソースブロックペアにおける複数の前記Ｅ−ＲＥＧに関連付けられる。
【００１４】
（３）また、本発明の一態様による基地局は上記の基地局であって、前記第１のリソースブロックに関連付けられる前記Ｅ−ＲＥＧの所定数と、前記第２のリソースブロックに関連付けられる前記Ｅ−ＲＥＧの所定数とは等しい。
【００１５】
（４）また、本発明の一態様による端末は、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、基地局と通信する端末であって、第１の制御チャネルとは異なるアンテナポートの参照信号を用いて、第２の制御チャネルを検出する制御チャネル処理部を備え、前記第２の制御チャネルは、所定のＥ−ＲＥＧに関連付けられる、１つ以上のＥ−ＣＣＥを用いて、前記基地局から送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【００１６】
（５）また、本発明の一態様による端末は上記の端末であって、前記第２の制御チャネルが局所マッピングを用いて送信される場合、前記第２の制御チャネルの送信に用いられる前記Ｅ−ＣＣＥは、１つの前記リソースブロックペアにおける複数の前記Ｅ−ＲＥＧに関連付けられ、前記第２の制御チャネルが分散マッピングを用いて送信される場合、前記第２の制御チャネルの送信に用いられる前記Ｅ−ＣＣＥは、複数の前記リソースブロックペアにおける複数の前記Ｅ−ＲＥＧに関連付けられる。
【００１７】
（６）また、本発明の一態様による端末は上記の端末であって、前記第１のリソースブロックに関連付けられる前記Ｅ−ＲＥＧの所定数と、前記第２のリソースブロックに関連付けられる前記Ｅ−ＲＥＧの所定数とは等しい。
【００１８】
（７）また、本発明の一態様による通信システムは、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と基地局とが通信する通信システムであって、前記基地局は、第１の制御チャネルとは異なるアンテナポートの参照信号を用いて送信される第２の制御チャネルを生成する第２の制御チャネル生成部を備え、前記端末は、前記第２の制御チャネルを検出する制御チャネル処理部を備え、前記第２の制御チャネルは、所定のＥ−ＲＥＧに関連付けられる、１つ以上のＥ−ＣＣＥを用いて、前記基地局から前記端末に送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【００１９】
（８）また、本発明の一態様による通信システムは上記の通信システムであって、前記第２の制御チャネルが局所マッピングを用いて送信される場合、前記第２の制御チャネルの送信に用いられる前記Ｅ−ＣＣＥは、１つの前記リソースブロックペアにおける複数の前記Ｅ−ＲＥＧに関連付けられ、前記第２の制御チャネルが分散マッピングを用いて送信される場合、前記第２の制御チャネルの送信に用いられる前記Ｅ−ＣＣＥは、複数の前記リソースブロックペアにおける複数の前記Ｅ−ＲＥＧに関連付けられる。
【００２０】
（９）また、本発明の一態様による通信システムは上記の通信システムであって、前記第１のリソースブロックに関連付けられる前記Ｅ−ＲＥＧの所定数と、前記第２のリソースブロックに関連付けられる前記Ｅ−ＲＥＧの所定数とは等しい。
【００２１】
（１０）また、本発明の一態様による通信方法は、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と通信する基地局の通信方法であって、第１の制御チャネルとは異なるアンテナポートの参照信号を用いて送信される第２の制御チャネルを生成するステップを有し、前記第２の制御チャネルは、所定のＥ−ＲＥＧに関連付けられる、１つ以上のＥ−ＣＣＥを用いて、前記端末に送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【００２２】
（１１）また、本発明の一態様による通信方法は、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、基地局と通信する端末の通信方法であって、第１の制御チャネルとは異なるアンテナポートの参照信号を用いて、第２の制御チャネルを検出するステップを有し、前記第２の制御チャネルは、所定のＥ−ＲＥＧに関連付けられる、１つ以上のＥ−ＣＣＥを用いて、前記基地局から送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【００２３】
（１２）また、本発明の一態様による集積回路は、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、端末と通信する基地局の集積回路であって、第１の制御チャネルとは異なるアンテナポートの参照信号を用いて送信される第２の制御チャネルを生成する機能を実現し、前記第２の制御チャネルは、所定のＥ−ＲＥＧに関連付けられる、１つ以上のＥ−ＣＣＥを用いて、前記端末に送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【００２４】
（１３）また、本発明の一態様による集積回路は、ＯＦＤＭシンボルとサブキャリアとで構成されるリソースエレメントと、所定数の前記リソースエレメントで構成されるリソースブロックと、時間方向に連続する２つの前記リソースブロックである第１のリソースブロックと第２のリソースブロックとで構成されるリソースブロックペアとを用いて、基地局と通信する端末の集積回路であって、第１の制御チャネルとは異なるアンテナポートの参照信号を用いて、第２の制御チャネルを検出する機能を実現し、前記第２の制御チャネルは、所定のＥ−ＲＥＧに関連付けられる、１つ以上のＥ−ＣＣＥを用いて、前記基地局から送信され、前記Ｅ−ＲＥＧは、前記第１のリソースブロックおよび第２のリソースブロックのそれぞれにおいて、所定の前記リソースエレメントに関連付けられ、前記ＯＦＤＭシンボルにおける前記Ｅ−ＲＥＧに関連付けられる前記リソースエレメントは、周波数方向に所定数の前記リソースブロックにおいて、前記ＯＦＤＭシンボルが時間方向に進むにつれて、所定のシフト数を用いて、周波数方向に巡回的にシフトする。
【発明の効果】
【００２５】
この発明によれば、基地局と端末が通信する無線通信システムにおいて、基地局が端末に対する制御情報を効率的に通知することができる。
【図面の簡単な説明】
【００２６】
【図１】本発明の第１の実施形態に係る基地局１００の構成を示す概略ブロック図である。
【図２】本発明の第１の実施形態に係る端末２００の構成を示す概略ブロック図である。
【図３】基地局１００が送信するサブフレームの一例を示す図である。
【図４】基地局１００がマッピングする１つのリソースブロックペアの一例を示す図である。
【図５】１つのＲＢで構成されるＥ−ＲＥＧの数が１６であり、Ｅ−ＰＤＣＣＨが分散マッピングされる場合の一例を示す図である。
【図６】１つのＲＢで構成されるＥ−ＲＥＧの数が１６であり、Ｅ−ＰＤＣＣＨが局所マッピングされる場合の一例を示す図である。
【図７】１つのＲＢで構成されるＥ−ＲＥＧの数が８であり、Ｅ−ＰＤＣＣＨが分散マッピングされる場合の一例を示す図である。
【図８】１つのＲＢで構成されるＥ−ＲＥＧの数が８であり、Ｅ−ＰＤＣＣＨが局所マッピングされる場合の一例を示す図である。
【図９】Ｅ−ＲＥＧの構成の一例を示す図である。
【図１０】Ｅ−ＲＥＧの構成の一例を示す図である。
【図１１】第２の制御チャネル領域として用いられるＲＢペアにおけるＥ−ＲＥＧ番号とＥ−ＣＣＥ番号が得られる数式の一例である。
【図１２】第２の制御チャネル領域として用いられるＲＢペアにおけるＥ−ＲＥＧ番号とＥ−ＣＣＥ番号が得られる数式の一例である。
【図１３】Ｅ−ＲＥＧの構成の一例を示す図である。
【図１４】Ｅ−ＲＥＧの構成の一例を示す図である。
【図１５】第２の制御チャネル領域として用いられるＲＢペアにおけるＥ−ＲＥＧ番号が得られる数式の一例である。
【図１６】局所マッピングにおけるＥ−ＣＣＥ構成の一例である。
【図１７】局所マッピングにおけるリソースエレメントとＥ−ＣＣＥとを関連付けるための数式の一例を示す図である。
【図１８】ヘテロジーニアスネットワーク配置を用いた無線通信システムの概要図である。
【発明を実施するための形態】
【００２７】
（第１の実施形態）
以下、本発明の第１の実施形態について説明する。本第１の実施形態における通信システムは、基地局（送信装置、セル、送信点、送信アンテナ群、送信アンテナポート群、コンポーネントキャリア、ｅＮｏｄｅＢ）および端末（端末装置、移動端末、受信点、受信端末、受信装置、受信アンテナ群、受信アンテナポート群、ＵＥ）を備える。
【００２８】
本発明の通信システムでは、基地局１００は、端末２００とデータ通信を行うため、下りリンクを通じて、制御情報および情報データを送信する。
【００２９】
ここで、制御情報は、誤り検出符号化処理等が施され、制御チャネルにマッピングされる。制御チャネル（ＰＤＣＣＨ；Physical Downlink Control Channel）は、誤り訂正符号化処理や変調処理が施され、第１の制御チャネル（第１の物理制御チャネル）領域、あるいは第１の制御チャネル領域とは異なる第２の制御チャネル（第２の物理制御チャネル）領域を介して送受信される。ただし、ここで言う物理制御チャネルは物理チャネルの一種であり、物理フレーム上に規定される制御チャネルである。また、以下では、第１の制御チャネル領域にマッピングされる制御チャネルは第１の制御チャネルとも呼称し、第２の制御チャネル領域にマッピングされる制御チャネルは第２の制御チャネルとも呼称される。また、第１の制御チャネルはＰＤＣＣＨとも呼称し、第２の制御チャネルはＥ−ＰＤＣＣＨ（Enhanced PDCCH）とも呼称される。
【００３０】
なお、１つの観点から見ると、第１の制御チャネルは、セル固有参照信号と同じ送信ポート（アンテナポート）を用いる物理制御チャネルである。また、第２の制御チャネルは、端末固有参照信号と同じ送信ポートを用いる物理制御チャネルである。端末２００は、第１の制御チャネルに対して、セル固有参照信号を用いて復調し、第２の制御チャネルに対して、端末固有参照信号を用いて復調する。セル固有参照信号は、セル内の全端末に共通の参照信号であって、ほぼすべてのリソースに挿入されているためにいずれの端末も使用可能な参照信号である。このため、第１の制御チャネルは、いずれの端末も復調可能である。一方、端末固有参照信号は、割り当てられたリソースのみに挿入される参照信号であって、データと同じように適応的にプレコーディング処理やビームフォーミング処理を行うことができる。この場合における第２の制御チャネル領域に配置される制御チャネルは、適応的なプレコーディングやビームフォーミングの利得、周波数スケジューリング利得を得ることができる。また、端末固有参照信号は、複数の端末によって共用されることもできる。例えば、第２の制御チャネル領域に配置される制御チャネルが、複数のリソース（例えば、リソースブロック）に分散されて通知される場合、その第２の制御チャネル領域の端末固有参照信号は、複数の端末によって供用されることができる。その場合における第２の制御チャネル領域に配置される制御チャネルは、周波数ダイバーシチ利得を得ることができる。
【００３１】
また、異なる観点から見ると、第１の制御チャネル領域にマッピングされる制御チャネル（第１の制御チャネル）は、物理サブフレームの前部に位置するＯＦＤＭシンボル（シンボル）上の物理制御チャネルであり、これらのＯＦＤＭシンボル上のシステム帯域幅（コンポーネントキャリア（ＣＣ；Ｃｏｍｐｏｎｅｎｔ  Ｃａｒｒｉｅｒ））全域に配置されうる。また、第２の制御チャネル領域にマッピングされる制御チャネル（第２の制御チャネル）は、物理サブフレームの第１の制御チャネルよりも後方に位置するＯＦＤＭシンボル上の物理制御チャネルであり、これらのＯＦＤＭシンボル上のシステム帯域幅内のうち、一部の帯域に配置されうる。第１の制御チャネルは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみをモニターする端末も受信することができる。また、ＣＣ全域に拡散されて配置されうるため、セル間干渉をランダム化することができる。また、第１の制御チャネル領域は、基地局１００固有に設定される領域であり、基地局１００に接続する全ての端末に共通の領域である。一方、第２の制御チャネルは、通信中の端末が通常受信する共用チャネル（物理データチャネル）用の後部のＯＦＤＭシンボル上に配置される。また、周波数分割多重することにより、第２の制御チャネル同士あるいは第２の制御チャネルと物理データチャネルとを直交多重（干渉無しの多重）することができる。また、第２の制御チャネル領域は、端末２００固有に設定される領域であり、基地局１００に接続する端末毎に設定される領域である。なお、基地局１００は、第２の制御チャネル領域を、複数の端末で共有するように設定することができる。また、第１の制御チャネル領域と第２の制御チャネル領域は、同一の物理サブフレームに配置される。ここで、ＯＦＤＭシンボルは、各チャネルのビットをマッピングする時間方向の単位である。
【００３２】
また、異なる観点から見ると、第１の制御チャネルは、セル固有の物理制御チャネルであり、アイドル状態の端末およびコネクト状態の端末の両方が取得（検出）できる物理チャネルである。また、第２の制御チャネルは、端末固有の物理制御チャネルであり、コネクト状態の端末のみが取得できる物理チャネルである。ここで、アイドル状態とは、基地局がＲＲＣ（Radio Resource Control）の情報を蓄積してない状態（ＲＲＣ＿ＩＤＬＥ状態）や、移動局が間欠受信（ＤＲＸ）を行っている状態など、直ちにデータの送受信を行わない状態である。一方、コネクト状態とは、端末がネットワークの情報を保持している状態（ＲＲＣ＿ＣＯＮＮＥＣＴＥＤ状態）や、移動局が間欠受信（ＤＲＸ）を行っていない状態など、直ちにデータの送受信を行うことができる状態である。第１の制御チャネルは、端末固有のＲＲＣシグナリングに依存せず端末が受信可能なチャネルである。第２の制御チャネルは、端末固有のＲＲＣシグナリングによって設定されるチャネルであり、端末固有のＲＲＣシグナリングによって端末が受信可能なチャネルである。すなわち、第１の制御チャネルは、予め限定された設定により、いずれの端末も受信可能なチャネルであり、第２の制御チャネルは端末固有の設定変更が容易なチャネルである。
【００３３】
図１は、本発明の第１の実施形態に係る基地局１００の構成を示す概略ブロック図である。図１において、基地局１００は、上位レイヤー１０１、データチャネル生成部１０２、第２の制御チャネル生成部１０３、端末固有参照信号多重部１０４、プレコーディング部１０５、第１の制御チャネル生成部１０６、セル固有参照信号多重部１０７、送信信号生成部１０８、送信部１０９を備えている。
【００３４】
上位レイヤー１０１は、端末２００に対する情報データ（トランスポートブロック、コードワード）を生成し、データチャネル領域割当部１０２に出力する。ここで、情報データは、誤り訂正符号化処理を行う単位とすることができる。また、情報データは、ＨＡＲＱ（Hybrid Automatic Repeat reQuest）等の再送制御を行う単位とすることができる。また、基地局１００は、端末２００に複数の情報データを送信することができる。
【００３５】
データチャネル生成部（データチャネル領域割当部、データチャネルマッピング部、共用チャネル生成部）１０２は、上位レイヤー１０１が出力した情報データに対して、適応制御を行い、端末２００に対するデータチャネル（共用チャネル、共有チャネル、ＰＤＳＣＨ；Physical Downlink Shared Channel）を生成する。具体的には、データチャネル生成部１０２における適応制御は、誤り訂正符号化を行うための符号化処理、端末２００に固有のスクランブル符号を施すためのスクランブル処理、多値変調方式などを用いるための変調処理、ＭＩＭＯなどの空間多重を行うためのレイヤーマッピング処理などを行う。ここで、データチャネル生成部１０２におけるレイヤーマッピング処理は、端末２００に対して設定するランク数に基づいて、１つ以上のレイヤー（ストリーム）にマッピングする。
【００３６】
第２の制御チャネル生成部（第２の制御チャネル領域割当部、第２の制御チャネルマッピング部、端末固有制御チャネル生成部）１０３は、基地局１００が第２の制御チャネル領域（端末固有制御チャネル領域）を介して、端末２００に対する制御情報を送信する場合に、第２の制御チャネル領域を介して送信する制御チャネルを生成する。ここで、第２の制御チャネル領域が共用チャネル領域に設定される場合、データチャネル生成部１０２および第２の制御チャネル生成部１０３は、共用チャネル領域割当部とも呼称される。なお、データチャネルおよび／または第２の制御チャネルは、共用チャネルとも呼称される。また、第２の制御チャネルは、Ｅ−ＰＤＣＣＨ（Enhanced PDCCH）、端末固有制御チャネルとも呼称される。
【００３７】
端末固有参照信号多重部（端末固有参照信号生成部、端末固有制御チャネル復調用参照信号多重部、端末固有制御チャネル復調用参照信号生成部）１０４は、端末２００に固有の端末固有参照信号（データチャネル復調用参照信号、第２の制御チャネル復調用参照信号、共用チャネル復調用参照信号、端末固有制御チャネル復調用参照信号、ＤＭ−ＲＳ（Demodulation Reference Signal）、ＤＲＳ（Dedicated Reference Signal）、Ｐｒｅｃｏｄｅｄ  ＲＳ、ＵＥ−ｓｐｅｃｉｆｉｃ  ＲＳ）を生成し、共用チャネル領域にその端末固有参照信号を多重する。また、端末固有参照信号多重部１０４には、端末固有参照信号を構成するスクランブル符号を生成するための初期値が入力される。端末固有参照信号多重部１０４は、入力されたスクランブル符号の初期値に基づいて、端末固有参照信号を生成する。ここで、端末固有参照信号は、多重するデータチャネルまたは第２の制御チャネルに基づいて設定され、データチャネルまたは第２の制御チャネルの各レイヤー（アンテナポート）に多重される。なお、端末固有参照信号は、レイヤー間で直交および／または準直交することが好ましい。なお、端末固有参照信号多重部１０４は、端末固有参照信号を生成し、後述する送信信号生成部１０８において多重されるようにしてもよい。
【００３８】
プレコーディング部１０５は、端末固有参照信号多重部１０４により出力されたデータチャネル、第２の制御チャネルおよび／または端末固有参照信号に対して、プレコーディング処理が行われる。ここで、プレコーディング処理は、端末固有参照信号が複数の端末によって供用されるか、端末固有参照信号が１つの端末によって用いられるかによって、処理が異なってもよい。プレコーディング処理が端末２００によって用いられる場合、そのプレコーディング処理は、端末２００が効率よく受信できるように、入力された信号に対して位相回転および／または振幅制御などを行うことが好ましい。例えば、プレコーディング処理は、端末２００の受信電力が最大になるように、または隣接セルからの干渉が小さくなるように、または隣接セルへの干渉が小さくなるように行うことが好ましい。また、予め決められたプレコーディング行列による処理、ＣＤＤ（Cyclic Delay Diversity）、送信ダイバーシチ（ＳＦＢＣ（Spatial Frequency Block Code）、ＳＴＢＣ（Spatial Time Block Code）、ＴＳＴＤ（Time Switched Transmission Diversity）、ＦＳＴＤ（Frequency Switched Transmission Diversity）など）を用いることができるがこれに限るものではない。また、端末固有参照信号が複数の端末によって供用される場合、そのプレコーディング処理は、予め決められたプレコーディング行列による処理、ＣＤＤ、送信ダイバーシチを用いることが好ましい。ここで、基地局１００は端末２００からプレコーディング処理に関するフィードバック情報であるＰＭＩ（Precoding Matrix Indicator）として複数種類に分けられたものがフィードバックされた場合、基地局１００は、端末２００に対して、その複数のＰＭＩを乗算などによる演算を行った結果に基づいて、プレコーディング処理を行うことができる。
【００３９】
ここで、端末固有参照信号は、基地局１００と端末２００で互いに既知の信号である。ここで、プレコーディング部１０５が端末２００に固有のプレコーディング処理を行う場合、端末２００がデータチャネルおよび／または第２の制御チャネルを復調するに際し、端末固有参照信号は、基地局１００と端末２００との間の下りリンクにおける伝送路状況およびプレコーディング部１０５によるプレコーディング重みの等化チャネルを推定することができる。すなわち、基地局１００は、端末２００に対して、プレコーディング部１０５によるプレコーディング重みを通知する必要が無く、プレコーディング処理された信号を復調することができる。
【００４０】
第１の制御チャネル生成部（第１の制御チャネル領域割当部、第１の制御チャネルマッピング部、セル固有制御チャネル生成部）１０６は、基地局１００が第１の制御チャネル領域（セル固有制御チャネル領域）を介して、端末２００に対する制御情報を送信する場合に、第１の制御チャネル領域を介して送信する制御チャネルを生成する。ここで、第１の制御チャネル領域を介して送信される制御チャネルは、第１の制御チャネルとも呼称される。また、第１の制御チャネルは、セル固有制御チャネルとも呼称される。
【００４１】
セル固有参照信号多重部（セル固有参照信号生成部）１０７は、基地局１００と端末２００との間の下りリンクの伝送路状況を測定するために、基地局１００および端末２００で互いに既知のセル固有参照信号（伝送路状況測定用参照信号、ＣＲＳ（Common RS）、Ｃｅｌｌ−ｓｐｅｃｉｆｉｃ  ＲＳ、Ｎｏｎ−ｐｒｅｃｏｄｅｄ  ＲＳ、セル固有制御チャネル復調用参照信号、第１の制御チャネル復調用参照信号）を生成する。生成されたセル固有参照信号は、第１の制御チャネル生成部１０６により出力された信号に多重される。なお、セル固有参照信号多重部１０７は、セル固有参照信号を生成し、後述する送信信号生成部１０８において多重されるようにしてもよい。
【００４２】
ここで、セル固有参照信号は、基地局１００および端末２００が共に既知の信号であれば、任意の信号（系列）を用いることができる。例えば、基地局１００に固有の番号（セルＩＤ）などの予め割り当てられているパラメータに基づいた乱数や疑似雑音系列を用いることができる。また、アンテナポート間で直交させる方法として、セル固有参照信号をマッピングするリソースエレメントをアンテナポート間で互いにヌル（ゼロ）とする方法、疑似雑音系列を用いた符号分割多重する方法、またはそれらを組み合わせた方法などを用いることができる。なお、セル固有参照信号は、全てのサブフレームに多重しなくてもよく、一部のサブフレームのみに多重してもよい。
【００４３】
また、セル固有参照信号は、プレコーディング部１０５によるプレコーディング処理の後に多重される参照信号である。そのため、端末２００は、セル固有参照信号を用いて、基地局１００と端末２００との間の下りリンクの伝送路状況を測定することができ、プレコーディング部１０５によるプレコーディング処理がされていない信号を復調することができる。例えば、第１の制御チャネルは、セル固有参照信号により復調処理されることができる。第１の制御チャネルは、ＣＲＳにより復調処理されることができる。
【００４４】
送信信号生成部（チャネルマッピング部）１０８は、セル固有参照信号多重部１０７が出力した信号を、それぞれのアンテナポートのリソースエレメントにマッピング処理を行う。具体的には、送信信号生成部１０８は、データチャネルは共用チャネル領域のデータチャネル領域にマッピングし、第２の制御チャネルは共用チャネル領域の第２の制御チャネル領域にマッピングする。さらに、送信信号生成部１０８は、第２の制御チャネル領域とは異なる第１の制御チャネル領域に第１の制御チャネルをマッピングする。ここで、基地局１００は、第１の制御チャネル領域および／または第２の制御チャネル領域に、複数の端末宛の制御チャネルをマッピングすることができる。なお、基地局１００は、第２の制御チャネル領域にデータチャネルをマッピングしてもよい。例えば、基地局１００が端末２００に設定した第２の制御チャネル領域に、第２の制御チャネルがマッピングされていない場合、その第２の制御チャネル領域にデータチャネルをマッピングしてもよい。
【００４５】
ここで、第１の制御チャネルおよび第２の制御チャネルは、それぞれ異なるリソースを介して送信する制御チャネル、および／または、それぞれ異なる参照信号を用いて復調処理する制御チャネル、および／または、端末２００における異なるＲＲＣの状態に応じて送信できる制御チャネルである。また、それぞれの制御チャネルは、いずれのフォーマットの制御情報をマッピングすることができる。なお、それぞれの制御チャネルに対して、マッピングできる制御情報のフォーマットを規定することができる。例えば、第１の制御チャネルは、全てのフォーマットの制御情報をマッピングすることができ、第２の制御チャネルは、一部のフォーマットの制御情報をマッピングすることができる。例えば、第１の制御チャネルは、全てのフォーマットの制御情報をマッピングすることができ、第２の制御チャネルは、端末固有参照信号を用いるデータチャネルの割り当て情報を含むフォーマットの制御情報をマッピングすることができる。
【００４６】
ここで、ＰＤＣＣＨまたはｅＰＤＣＣＨは、下りリンク制御情報（ＤＣＩ；Ｄｏｗｎｌｉｎｋ  Ｃｏｎｔｏｌ  Ｉｎｆｏｒｍａｔｉｏｎ）を端末へ通知（指定）するために使用される。例えば、下りリンク制御情報には、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報、スクランブリングアイデンティティ（スクランブリンク識別子とも呼称される）に関する情報、参照信号系列アイデンティティ（ベースシーケンスアイデンティティ、ベースシーケンス識別子、ベースシーケンスインデックスとも呼称される）に関する情報などが含まれる。
【００４７】
また、ＰＤＣＣＨまたはｅＰＤＣＣＨで送信される下りリンク制御情報に対して、複数のフォーマットが定義される。ここで、下りリンク制御情報のフォーマットを、ＤＣＩフォーマットとも呼称する。すなわち、ＤＣＩフォーマットに、上りリンク制御情報のそれぞれに対するフィールドが定義される。
【００４８】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。すなわち、ＤＣＩフォーマット１およびＤＣＩフォーマット１Ａは、１つの送信アンテナポートを使用したＰＤＳＣＨでの送信に使用される。また、ＤＣＩフォーマット１およびＤＣＩフォーマット１Ａは、複数の送信アンテナポートを使用した送信ダイバーシチ（ＴｘＤ；Ｔｒａｎｓｍｉｓｓｉｏｎ  Ｄｉｖｅｒｓｉｔｙ）によるＰＤＳＣＨでの送信にも使用される。
【００４９】
また、下りリンクに対するＤＣＩフォーマットとしては、１つのセルにおける１つのＰＤＳＣＨ（２つまでのＰＤＳＣＨのコードワード、２つまでの下りリンクトランスポートの送信）のスケジューリングに使用されるＤＣＩフォーマット２およびＤＣＩフォーマット２ＡおよびＤＣＩフォーマット２ＢおよびＤＣＩフォーマット２Ｃが定義される。すなわち、ＤＣＩフォーマット２およびＤＣＩフォーマット２ＡおよびＤＣＩフォーマット２ＢおよびＤＣＩフォーマット２Ｃは、複数の送信アンテナポートを使用したＭＩＭＯ  ＳＤＭ（Ｍｕｌｔｉｐｌｅ  Ｉｎｐｕｔ  Ｍｕｌｔｉｐｌｅ  Ｏｕｔｐｕｔ  Ｓｐａｔｉａｌ  Ｄｏｍａｉｎ  Ｍｕｌｔｉｐｌｅｘｉｎｇ）ＰＤＳＣＨでの送信に使用される。
【００５０】
ここで、制御情報は、そのフォーマットが予め規定される。例えば、制御情報は、基地局１００が端末２００に対して通知する目的に応じて規定されることができる。具体的には、制御情報は、端末２００に対する下りリンクのデータチャネルの割り当て情報、端末２００に対する上りリンクのデータチャネル（ＰＵＳＣＨ；Physical Uplink Shared Channel）や制御チャネル（ＰＵＣＣＨ；Physical Uplink Control Channel）の割り当て情報、端末２００に対する送信電力を制御するための情報などとして、規定されることができる。そのため、例えば、基地局１００は、端末２００に対して下りリンクの情報データを送信する場合、端末２００に対する下りリンクのデータチャネルの割り当て情報を含む制御情報がマッピングされた制御チャネル、および、その制御情報に基づいて割り当てられた情報データがマッピングされたデータチャネルを送信する。また、例えば、基地局１００は、端末２００に対する上りリンクのデータチャネルを割り当てる場合、端末２００に対する上りリンクのデータチャネルの割り当て情報を含む制御情報がマッピングされた制御チャネルを送信する。また、基地局１００は、同じサブフレームにおいて、同じ端末２００に対して、複数の異なる制御情報または同じ制御情報を、異なるフォーマットまたは同じフォーマットによって、送信することもできる。なお、基地局１００は、端末２００に対して下りリンクの情報データを送信する場合、端末２００に対する下りリンクのデータチャネルの割り当て情報を含む制御情報がマッピングされた制御チャネルを送信するサブフレームとは異なるサブフレームで下りリンクのデータチャネルを送信することもできる。
【００５１】
ここで、第１の制御チャネル領域は、基地局１００に固有の領域であるため、セル固有制御チャネル領域とも呼称される。また、第２の制御チャネル領域は、基地局１００からＲＲＣシグナリングを通じて設定される、端末２００に固有の領域であるため、端末固有制御チャネル領域とも呼称される。また、第２の制御チャネル領域は、リソースブロックペアを単位として設定される。ここで、リソースブロックペアは、所定の周波数方向の領域と所定の時間方向の領域で構成される２つのリソースブロック（ＲＢ；Resource Block）が時間方向に連続して配置される領域である。また、リソースブロックペアにおいて、時間方向に前半のリソースブロックは、第１のリソースブロックとも呼称され、時間方向に後半のリソースブロックは、第２のリソースブロックとも呼称される。
【００５２】
また、基地局１００と端末２００は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、基地局によって、ｄｅｄｉｃａｔｅｄ  ｓｉｇｎａｌを使用して通知される設定（情報）は、ある端末に対して固有な（特有な）設定である。
【００５３】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（Ｈｉｇｈｅｒ  ｌａｙｅｒ  ｓｉｇｎａｌｉｎｇ）とも呼称される。
【００５４】
送信部１０９は、逆高速フーリエ変換（ＩＦＦＴ；Inverse Fast Fourier Transform）、ガードインターバルの付加、無線周波数への変換処理等を行った後、１つまたは複数の送信アンテナ数（送信アンテナポート数）の送信アンテナから送信する。
【００５５】
図２は、本発明の第１の実施形態に係る端末２００の構成を示す概略ブロック図である。図２において、端末２００は、受信部２０１、受信信号処理部２０２、伝搬路推定部２０３、制御チャネル処理部２０４、データチャネル処理部２０５、上位レイヤー２０６を備えている。
【００５６】
受信部２０１は、１つまたは複数の受信アンテナ数（受信アンテナポート数）の受信アンテナにより、基地局１００が送信した信号を受信し、無線周波数からベースバンド信号への変換処理、付加されたガードインターバルの除去、高速フーリエ変換（ＦＦＴ；Fast Fourier Transform）などによる時間周波数変換処理を行う。
【００５７】
受信信号処理部２０２は、基地局１００でマッピングされた信号をデマッピング（分離）する。具体的には、受信信号処理部２０２は、第１の制御チャネルおよび／または第２の制御チャネルおよび／またはデータチャネルをデマッピングし、制御チャネル処理部２０４に出力する。また、受信信号処理部２０２は、多重されたセル固有参照信号および／または端末固有参照信号をデマッピングし、伝搬路推定部２０３に出力する。
【００５８】
伝搬路推定部２０３は、セル固有参照信号および／または端末固有参照信号に基づいて、第１の制御チャネルおよび／または第２の制御チャネルおよび／またはデータチャネルのリソースに対する伝搬路推定を行う。伝搬路推定部２０３は、伝搬路推定の推定結果を、制御チャネル処理部２０４および／またはデータチャネル処理部２０５に出力する。伝搬路推定部２０３は、データチャネルおよび／または第２の制御チャネルに多重された端末固有参照信号に基づいて、各送信アンテナポートの各受信アンテナポートに対する、それぞれのリソースエレメントにおける振幅と位相の変動（周波数応答、伝達関数）を推定（伝搬路推定）し、伝搬路推定値を求める。ここで、伝搬路推定部２０３には、端末固有参照信号を構成するスクランブル符号の初期値が入力され、その初期値等に基づいて端末固有参照信号は決定される。また、伝搬路推定部２０３は、第１の制御チャネルに多重されたセル固有参照信号に基づいて、各送信アンテナポートの各受信アンテナポートに対する、それぞれのリソースエレメントにおける振幅と位相の変動を推定し、伝搬路推定値を求める。
【００５９】
制御チャネル処理部２０４は、第１の制御チャネル領域および／または第２の制御チャネル領域にマッピングされた端末２００宛の制御チャネルを探索する。ここで、制御チャネル処理部２０４は、制御チャネルを探索する制御チャネル領域として、第１の制御チャネル領域および／または第２の制御チャネル領域を設定する。第２の制御チャネル領域の設定は、基地局１００が、端末２００に対して通知する上位層の制御情報（例えば、ＲＲＣ（Radio Resource Control）シグナリング）を通じて行われる。例えば、第２の制御チャネル領域の設定は、第２の制御チャネルの端末固有設定情報として、第２の制御チャネルを設定するための制御情報であり、端末１００に固有の設定情報である。第２の制御チャネル領域の設定の詳細は、後述する。
【００６０】
例えば、基地局１００によって、第２の制御チャネルの端末固有設定情報が通知され、第２の制御チャネル領域が設定される場合、制御チャネル処理部２０４は、第２の制御チャネル領域にマッピングされた端末２００宛の制御チャネルを探索する。この場合、制御チャネル処理部２０４は、さらに第１の制御チャネル領域における一部の領域も探索してもよい。例えば、制御チャネル処理部２０４は、さらに第１の制御チャネル領域におけるセル固有の探索領域も探索してもよい。また、基地局１００によって、第２の制御チャネルの端末固有設定情報が通知されず、第２の制御チャネル領域が設定されない場合、制御チャネル処理部２０４は、第１の制御チャネル領域にマッピングされた端末２００宛の制御チャネルを探索する。
【００６１】
ここで、制御チャネル処理部２０４は、第２の制御チャネル領域にマッピングされた端末２００宛の制御チャネルを探索する場合、可能性のある制御チャネルを復調するために、端末固有参照信号を用いる。また、制御チャネル処理部２０４は、第１の制御チャネル領域にマッピングされた端末２００宛の制御チャネルを探索する場合、可能性のある制御チャネルを復調するために、セル固有参照信号を用いる。
【００６２】
具体的には、制御チャネル処理部２０４は、制御情報の種類、マッピングされるリソースの位置、マッピングされるリソースの大きさ等に基づいて得られる制御チャネルの候補の全部または一部を、復調および復号処理を行い、逐次探索する。制御チャネル処理部２０４は、端末２００宛の制御情報か否かを判定する方法として、制御情報に付加される誤り検出符号（例えば、ＣＲＣ（Cyclic Redundancy Check）符号）を用いる。また、このような探索方法は、ブラインドデコーディングとも呼称される。
【００６３】
また、制御チャネル処理部２０４は、端末２００宛の制御チャネルを検出した場合、検出された制御チャネルにマッピングされた制御情報を識別し、端末２００全体（上位レイヤーも含む）で共用され、下りリンクデータチャネルの受信処理、上りリンクデータチャネルや制御チャネルの送信処理、上りリンクにおける送信電力制御など、端末２００における様々な制御に用いられる。
【００６４】
制御チャネル処理部２０４は、検出された制御チャネルに下りリンクデータチャネルの割り当て情報を含む制御情報がマッピングされていた場合、受信信号処理部２０２でデマッピングされたデータチャネルをデータチャネル処理部２０５に出力する。
【００６５】
データチャネル処理部２０５は、制御チャネル処理部２０４から入力されたデータチャネルに対して、伝搬路推定部２０３から入力された伝搬路推定結果を用いた伝搬路補償処理（フィルタ処理）、レイヤーデマッピング処理、復調処理、デスクランブル処理、誤り訂正復号処理などを行い、上位レイヤー２０６に出力する。なお、端末固有参照信号がマッピングされていないリソースエレメントは、端末固有参照信号がマッピングされたリソースエレメントに基づいて、周波数方向および時間方向に補間または平均化等を行い、伝搬路推定を行う。伝搬路補償処理では、入力されたデータチャネルに対して、推定された伝搬路推定値を用いて、伝搬路補償を行い、情報データに基づくレイヤー毎の信号を検出（復元）する。その検出方法としては、ＺＦ（Zero Forcing）規範やＭＭＳＥ（Minimum Mean Square Error）規範の等化、ターボ等化、干渉除去などを用いることができる。レイヤーデマッピング処理では、レイヤー毎の信号をそれぞれの情報データにデマッピング処理を行う。以降の処理は情報データ毎に行われる。復調処理では、用いた変調方式に基づいて復調を行う。デスクランブル処理では、用いたスクランブル符号に基づいて、デスクランブル処理を行う。復号処理では、施した符号化方法に基づいて、誤り訂正復号処理を行う。
【００６６】
図３は、基地局１００が送信するサブフレームの一例を示す図である。この例では、システム帯域幅が１２個の物理リソースブロックペア（ＰＲＢ；Physical Resource Block）で構成される１個のサブフレームが示される。なお、以下の説明では、リソースブロックペアは、単にリソースブロック、ＰＲＢまたはＲＢとしても説明する。すなわち、以下の説明において、リソースブロック、ＰＲＢまたはＲＢは、リソースブロックペアを含む。また、サブフレームにおいて、先頭の０個以上のＯＦＤＭシンボルは第１の制御チャネル領域である。第１の制御チャネル領域のＯＦＤＭシンボル数は、端末に対して通知される。例えば、第１の制御チャネル領域は、先頭のＯＦＤＭシンボルに専用の通知領域を設定し、サブフレーム毎に動的に通知することができる。また、第１の制御チャネル領域は、上位レイヤーの制御情報を用いて、準静的に通知することができる。また、第１の制御チャネル領域以外の領域は共用チャネル領域である。共用チャネル領域は、データチャネル領域および／または第２の制御チャネル領域を含んで構成される。図３の例では、ＰＲＢ３、ＰＲＢ４、ＰＲＢ９およびＰＲＢ１１が第２の制御チャネル領域である。
【００６７】
ここで、基地局１００は、端末２００に対して、上位レイヤーの制御情報を通じて、第２の制御チャネル領域を通知（設定）する。例えば、第２の制御チャネル領域を設定する制御情報は、ＰＲＢペア毎またはＰＲＢペアのグループ毎に設定する制御情報である。図３の例では、ＰＲＢ３、ＰＲＢ４、ＰＲＢ９およびＰＲＢ１１が第２の制御チャネル領域として設定される。また、第２の制御チャネル領域は所定のＰＲＢ数を単位として割り当てられる。例えば、所定のＰＲＢ数は４とすることができる。その場合、基地局１００は、端末２００に、４の倍数個のＰＲＢを第２の制御チャネル領域として設定する。
【００６８】
図４は、基地局１００がマッピングする１つのリソースブロックペアの一例を示す図である。１つのリソースブロックは所定の周波数方向の領域と所定の時間方向の領域で構成される。１つのリソースブロックペアは、２つのリソースブロックが時間方向に連続して配置される。また、リソースブロックペアにおいて、時間方向に前半のリソースブロックは、第１のリソースブロックとも呼称され、時間方向に後半のリソースブロックは、第２のリソースブロックとも呼称される。図４は、１つのリソースブロックペアを表しており、１つのリソースブロックは周波数方向に１２個のサブキャリアと時間方向に７個のＯＦＤＭシンボルで構成される。１つのＯＦＤＭシンボルと１つのサブキャリアとで構成されるリソースはリソースエレメントと呼称される。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼称される。また、リソースブロックペアの時間方向は、サブフレームと呼称される。それぞれのサブフレームのうち、時間方向に前後の７つのＯＦＤＭシンボルは、それぞれスロットとも呼称される。また、以下の説明では、リソースブロックペアは、単にリソースブロックとも呼称される。
【００６９】
図４において、網掛けしたリソースエレメントのうち、Ｒ０〜Ｒ３は、それぞれアンテナポート０〜３のセル固有参照信号を示す。以下では、アンテナポート０〜３のセル固有参照信号はＣＲＳ（Common Reference Signal）とも呼称される。ここで、図４に示すＣＲＳは、４つのアンテナポートの場合であるが、その数を変えることができ、例えば、１つのアンテナポートや２つのアンテナポートのＣＲＳをマッピングすることができる。
【００７０】
図４において、アンテナポート０〜３のセル固有参照信号とは異なるセル固有参照信号として、アンテナポート１５〜２２のセル固有参照信号をマッピングすることができる。以下では、アンテナポート１５〜２２のセル固有参照信号は伝送路状況測定用参照信号（ＣＳＩ−ＲＳ；Channel State Information - Reference Signal）とも呼称される。図４において、網掛けしたリソースエレメントのうち、Ｃ１〜Ｃ４は、それぞれＣＤＭ（Code Division Multiplexing）グループ１〜ＣＤＭグループ４の伝送路状況測定用参照信号を示す。伝送路状況測定用参照信号は、まずＷａｌｓｈ符号を用いた直交符号がマッピングされ、その後にＧｏｌｄ符号を用いたスクランブル符号が重畳される。また、伝送路状況測定用参照信号は、ＣＤＭグループ内において、それぞれＷａｌｓｈ符号等の直交符号により符号分割多重される。また、伝送路状況測定用参照信号は、ＣＤＭグループ間において、互いに周波数分割多重（ＦＤＭ；Frequency Division Multiplexing）される。また、アンテナポート１５および１６の伝送路状況測定用参照信号はＣ１にマッピングされ、アンテナポート１７および１８の伝送路状況測定用参照信号はＣ２にマッピングされ、アンテナポート１９および２０の伝送路状況測定用参照信号はＣ３にマッピングされ、アンテナポート２１および２２の伝送路状況測定用参照信号はＣ４にマッピングされる。また、伝送路状況測定用参照信号は、アンテナポート１５〜２２の８つのアンテナポートに対応する参照信号として設定されることができる。また、伝送路状況測定用参照信号は、アンテナポート１５〜１８の４つのアンテナポートに対応する参照信号として設定されることができる。また、伝送路状況測定用参照信号は、アンテナポート１５〜１６の２つのアンテナポートに対応する参照信号として設定されることができる。また、伝送路状況測定用参照信号は、アンテナポート１５の１つのアンテナポートに対応する参照信号として設定されることができる。また、伝送路状況測定用参照信号は、一部のサブフレームにマッピングされることができ、例えば、複数のサブフレーム毎にマッピングされることができる。また、伝送路状況測定用参照信号をマッピングするリソースエレメントは、図４で示すリソースエレメントとは異なってもよい。また、伝送路状況測定用参照信号のリソースエレメントに対するマッピングパターンは予め複数個のパターンを規定してもよい。また、基地局１００は、端末２００に対して、複数の伝送路状況測定用参照信号を設定することができる。また、伝送路状況測定用参照信号は、その送信電力をさらに設定することができ、例えば、その送信電力をゼロにすることができる。基地局１００は、ＲＲＣシグナリングを通じて、端末２００に対する端末固有の制御情報として、伝送路状況測定用参照信号を設定する。端末２００は、基地局１００からの設定に基づいて、ＣＲＳおよび／または伝送路状況測定用参照信号を用いて、フィードバック情報を生成する。
【００７１】
図４において、網掛けしたリソースエレメントのうち、Ｄ１〜Ｄ２は、それぞれＣＤＭ（Code Division Multiplexing）グループ１〜ＣＤＭグループ２の端末固有参照信号（ＤＭ−ＲＳ；Demodulation - Reference Signal）を示す。端末固有参照信号は、まずＷａｌｓｈ符号を用いた直交符号がマッピングされ、その後にＧｏｌｄ符号を用いた擬似ランダム系列がスクランブル系列として重畳される。また、端末固有参照信号は、ＣＤＭグループ内において、それぞれＷａｌｓｈ符号等の直交符号により符号分割多重される。また、端末固有参照信号は、ＣＤＭグループ間において、互いにＦＤＭされる。ここで、端末固有参照信号は、そのリソースブロックペアにマッピングされる制御チャネルやデータチャネルに応じて、８つのアンテナポート（アンテナポート７〜１４）を用いて、最大８ランクまでマッピングすることができる。また、端末固有参照信号は、マッピングするランク数に応じて、ＣＤＭの拡散符号長やマッピングされるリソースエレメントの数を変えることができる。
【００７２】
例えば、ランク数が１〜２の場合における端末固有参照信号は、アンテナポート７〜８として、２チップの拡散符号長により構成され、ＣＤＭグループ１にマッピングされる。ランク数が３〜４の場合における端末固有参照信号は、アンテナポート７〜８に加えて、アンテナポート９〜１０として、２チップの拡散符号長により構成され、ＣＤＭグループ２にさらにマッピングされる。ランク数が５〜８の場合における端末固有参照信号は、アンテナポート７〜１４として、４チップの拡散符号長により構成され、ＣＤＭグループ１およびＣＤＭグループ２にマッピングされる。
【００７３】
ここで、端末固有参照信号は、関連付けられるチャネル（信号）に応じて、アンテナポートの番号や構成を異なるようにしてもよい。例えば、共用チャネル（ＰＤＳＣＨ）に関連付けられる端末固有参照信号のアンテナポート番号は、アンテナポート７〜１４を用いることができる。第２の制御チャネル（ｅＰＤＣＣＨ）に関連付けられる端末固有参照信号のアンテナポート番号は、アンテナポート１０７〜１１４を用いることができる。なお、第２の制御チャネル（ｅＰＤＣＣＨ）に関連付けられる端末固有参照信号のアンテナポートは、アンテナポート１０７〜１１０を用いてもよい。ここで、アンテナポート１０７〜１１４は、アンテナポート７〜１４と同様に構成される。また、アンテナポート１０７〜１１４の端末固有参照信号は、アンテナポート７〜１４の端末固有参照信号と一部異なって構成されてもよい。例えば、アンテナポート１０７〜１１４で用いられる端末固有参照信号のスクランブル系列は、アンテナポート７〜１４で用いられる端末固有参照信号のスクランブル系列と異なってもよい。
【００７４】
また、白く塗りつぶされたリソースエレメントは、共用チャネルおよび／または第２の制御チャネルが配置される領域（共用チャネル領域）を示す。共用チャネル領域は、サブフレーム中の後方のＯＦＤＭシンボル、すなわちサブフレーム中の第１の制御チャネルが配置されるＯＦＤＭシンボルとは異なるＯＦＤＭシンボルにマッピングされ、サブフレーム毎に所定数のＯＦＤＭシンボルを設定することができる。なお、共用チャネル領域の全部または一部は、そのサブフレームにおける第１の制御チャネル領域に関わらず固定された所定のＯＦＤＭシンボルにマッピングされることもできる。また、共用チャネルが配置される領域は、リソースブロックペア毎に設定することができる。また、第２の制御チャネル領域は、第１の制御チャネル領域のＯＦＤＭシンボル数に関わらず、全てのＯＦＤＭシンボルで構成されてもよい。
【００７５】
ここで、リソースブロックは、通信システムが用いる周波数帯域幅（システム帯域幅）に応じて、その数を変えることができる。例えば、６〜１１０個のリソースブロックを用いることができ、その単位をコンポーネントキャリアとも呼称される。さらに、基地局は、端末に対して、周波数アグリゲーションにより、複数のコンポーネントキャリアを設定することもできる。例えば、基地局は、端末に対して、１つのコンポーネントキャリアは２０ＭＨｚで構成し、周波数方向に連続および／または非連続に、５個のコンポーネントキャリアを設定し、通信システムが用いることができるトータルの帯域幅を１００ＭＨｚにすることができる。
【００７６】
ここで、本実施形態における無線通信システムでは、下りリンクと上りリンクにおいて、複数のサービングセル（単に、セルとも呼称される）の集約がサポートされる（キャリアアグリゲーションと呼称される）。例えば、サービングセルそれぞれにおいて、１１０リソースブロックまでの送信帯域幅を使用することができる。また、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００７７】
さらに、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００７８】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００７９】
すなわち、キャリアアグリゲーションにおいて、広送信帯域幅をサポートするために複数のコンポーネントキャリアが集約される。ここで、例えば、プライマリー基地局をプライマリセルと、セカンダリー基地局をセカンダリセルとみなす（基地局が、端末へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００８０】
以下では、ＰＤＣＣＨの構成の詳細が説明される。ＰＤＣＣＨは、複数の制御チャネルエレメント（ＣＣＥ；Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１００の送信アンテナの数に応じた下りリンクのセル固有参照信号の送信アンテナポート数に依存する。ＣＣＥは、複数の下りリンクリソースエレメント（１つのＯＦＤＭシンボルおよび１つのサブキャリアで規定されるリソース）により構成される。
【００８１】
基地局１００と端末２００との間で用いられるＣＣＥには、ＣＣＥを識別するための番号が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩのビット数に応じて基地局において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００８２】
１個のリソースエレメントグループ（ＲＥＧ）は周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００８３】
各端末には、ＰＤＣＣＨを探索する領域ＳＳ（Search Space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Cell-specific SS）と、最も小さいＣＣＥから番号が端末固有であるＵＳＳ（UE-specific SS）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【００８４】
基地局は、端末２００において設定されるＳＳ内の１個以上のＣＣＥを用いてＰＤＣＣＨを送信する。端末２００は、ＳＳ内の１個以上のＣＣＥを用いて受信信号の復号を行ない、自身宛てのＰＤＣＣＨを検出するための処理を行なう（ブラインドデコーディングと呼称される）。端末２００は、ＣＣＥ集合レベル毎に異なるＳＳを設定する。その後、端末２００は、ＣＣＥ集合レベル毎に異なるＳＳ内の予め決められた組み合わせのＣＣＥを用いてブラインドデコーディングを行なう。言い換えると、端末２００は、ＣＣＥ集合レベル毎に異なるＳＳ内の各ＰＤＣＣＨの候補に対してブラインドデコーディングを行なう。端末２００におけるこの一連の処理をＰＤＣＣＨのモニタリングという。
【００８５】
第２の制御チャネル（Ｅ−ＰＤＣＣＨ、ＰＤＣＣＨ  ｏｎ  ＰＤＳＣＨ、Ｅｎｈａｎｃｅｄ  ＰＤＣＣＨ）は、第２の制御チャネル領域にマッピングされる。基地局１００が端末２００に対して第２の制御チャネル領域を通じて制御チャネルを通知する場合、基地局１００は端末２００に対して第２の制御チャネルのモニタリングを設定し、第２の制御チャネル領域に端末２００に対する制御チャネルをマッピングする。また、基地局１００が端末２００に対して第１の制御チャネル領域を通じて制御チャネルを通知する場合、基地局１００は端末２００に対して第２の制御チャネルのモニタリングの設定に関わらず、第１の制御チャネル領域に端末２００に対する制御チャネルをマッピングしてもよい。また、基地局１００が端末２００に対して第１の制御チャネル領域を通じて制御チャネルを通知する場合、基地局１００は端末２００に対して第２の制御チャネルのモニタリングを設定しない時に、第１の制御チャネル領域に端末２００に対する制御チャネルをマッピングするとしてもよい。
【００８６】
一方、端末２００は、基地局１００によって第２の制御チャネルのモニタリングが設定された場合、第１の制御チャネル領域における端末２００宛の制御チャネルおよび／または第２の制御チャネル領域における端末２００宛の制御チャネルをブラインドデコーディングする。また、端末２００は、基地局１００によって第２の制御チャネルのモニタリングが設定されない場合、第１の制御チャネルにおける端末２００宛の制御チャネルをブラインドデコーディングしない。
【００８７】
以下では、第２の制御チャネル領域にマッピングされる制御チャネル（Ｅ−ＰＤＣＣＨ）の詳細が説明される。
【００８８】
基地局１００は、端末２００に第２の制御チャネル領域（potential E-PDCCH）を設定する。第２の制御チャネル領域は、１つ以上のＲＢペアにより構成される。すなわち、第２の制御チャネル領域は、ＲＢペアを単位として設定できる。ここで、第２の制御チャネル領域を構成するＲＢペアの数は、所定の値の倍数にすることができる。例えば、第２の制御チャネル領域を構成するＲＢペアの数は、４の倍数にすることができる。すなわち、第２の制御チャネル領域は、ＲＢペアの数が４の倍数であるＲＢペアを単位として設定される。また、例えば、第２の制御チャネル領域を構成するＲＢペアの数は、２の倍数にすることができる。すなわち、第２の制御チャネル領域は、ＲＢペアの数が２の倍数であるＲＢペアを単位として設定される。また、基地局１００は、端末２００に設定された第２の制御チャネル領域に探索領域（サーチスペース）を設定できる。ここで、第２の制御チャネル領域の探索領域は、所定の値の倍数のＲＢペアを単位として設定することができる。例えば、第２の制御チャネル領域の探索領域を設定するＲＢペアの単位は、４の倍数にすることができる。すなわち、第２の制御チャネル領域の探索領域は、ＲＢペアの数が４の倍数であるＲＢペアを単位として設定される。また、例えば、第２の制御チャネル領域の探索領域を設定するＲＢペアの単位は、２の倍数にすることができる。すなわち、第２の制御チャネル領域の探索領域は、ＲＢペアの数が２の倍数であるＲＢペアを単位として設定される。
【００８９】
基地局１００は、端末２００に対するＥ−ＰＤＣＣＨを、設定した第２の制御チャネル領域の探索領域にマッピングする。また、基地局１００は、複数の端末に対して、第２の制御チャネル領域および／または探索領域の全部または一部を共通化することができる。すなわち、複数の端末に対する複数のＥ−ＰＤＣＣＨは、第２の制御チャネル領域内で多重することができる。ここで、Ｅ−ＰＤＣＣＨは、複数の拡張制御チャネルエレメント（Ｅ−ＣＣＥ；Enhanced CCE）および／または拡張リソースエレメントグループ（Ｅ−ＲＥＧ；Enhanced REG）により構成される。ここで、Ｅ−ＣＣＥは、制御チャネルを構成する単位であり、１つ以上のリソースエレメントまたはＥ−ＲＥＧから構成される。また、Ｅ−ＲＥＧは、１つ以上のリソースエレメントから構成される。また、Ｅ−ＣＣＥは、eCCEとも呼称される。Ｅ−ＲＥＧは、eREGとも呼称される。Ｅ−ＰＤＣＣＨは、ePDCCHとも呼称される。
【００９０】
第２の制御チャネル領域は複数のＥ−ＣＣＥにより構成される。第２の制御チャネル領域におけるＥ−ＣＣＥの数は、所定の値で規定される。また、第２の制御チャネル領域におけるＥ−ＣＣＥの数は、基地局１００により設定される第２の制御チャネルに関する制御情報によって黙示的（implicit）に決定されてもよい。例えば、第２の制御チャネル領域におけるＥ−ＣＣＥの数は、基地局１００により設定される第２の制御チャネル領域のＰＲＢペア数によって決定されてもよい。また、第２の制御チャネル領域におけるＥ−ＣＣＥの数は、基地局１００により設定される第２の制御チャネルに関する制御情報によって明示的（explicit）に決定されてもよい。
【００９１】
また、Ｅ−ＣＣＥは、１つ以上のＥ−ＲＥＧ（Enhanced Resource Element Group）により構成される。ここで、Ｅ−ＲＥＧは、リソースエレメントに制御チャネルをマッピングするリソースを定義するために用いられる。また、Ｅ−ＲＥＧは、１つのＲＢペア内における１つ以上のリソースエレメントで構成される。なお、Ｅ−ＲＥＧは、複数のＲＢペアに跨って、複数のリソースエレメントで構成されてもよい。例えば、Ｅ−ＲＥＧは、第２の制御チャネル領域における複数のＲＢペア内における複数のリソースエレメントで構成されてもよい。また、例えば、Ｅ−ＲＥＧは、Ｅ−ＣＣＥを構成する複数のＲＢペア内における複数のリソースエレメントで構成されてもよい。１つのＥ−ＣＣＥを構成するＥ−ＲＥＧの数は、所定の値を用いる。また、１つのＥ−ＣＣＥを構成するＥ−ＲＥＧの数は、基地局１００により設定される第２の制御チャネルに関する制御情報によって黙示的（implicit）に決定されてもよい。例えば、１つのＥ−ＣＣＥを構成するＥ−ＲＥＧの数は、基地局１００により設定される第２の制御チャネル領域のマッピング方法（例えば、局所マッピングまたは分散マッピング）によって決定されてもよい。また、例えば、１つのＥ−ＣＣＥを構成するＥ−ＲＥＧの数は、基地局１００により設定されるＥ−ＣＣＥと端末固有参照信号とのマッピング方法（Ｅ−ＣＣＥとアンテナポートとのマッピング（関連付け）方法）によって決定されてもよい。また、１つのＥ−ＣＣＥを構成するＥ−ＲＥＧの数は、基地局１００により設定される第２の制御チャネルに関する制御情報によって明示的（explicit）に決定されてもよい。
【００９２】
ここで、ＲＢペア内において、Ｅ−ＲＥＧとＥ−ＣＣＥとのマッピング規則（マッピング方法、関連付け）は、複数規定される。Ｅ−ＲＥＧとＥ−ＣＣＥとのマッピング方法の１つは、分散マッピング（distributed mapping）（分散マッピング規則）である。分散マッピング規則では、複数のＲＢペアに分散されるようにマッピングされることができる。分散マッピングの場合、それぞれのＥ−ＣＣＥを構成するＥ−ＲＥＧの一部または全部は、複数のＲＢペアにおけるＥ−ＲＥＧにマッピングされることができる。また、分散マッピングの場合、ＲＢペアを構成するＥ−ＲＥＧの一部または全部は、複数のＥ−ＣＣＥにおけるＥ−ＲＥＧからマッピングされることができる。また、ＲＢペアを構成するＥ−ＲＥＧとＥ−ＣＣＥを構成するＥ−ＲＥＧとのマッピング方法の１つは、局所マッピング（localized mapping）（局所マッピング規則）である。局所マッピング規則では、それぞれのＥ−ＣＣＥが、１つのＲＢペア、または、周波数方向に連続して配置される複数のＲＢペアに、局所的にマッピングされることができる。局所マッピングの場合、Ｅ−ＣＣＥを構成するＥ−ＲＥＧの全部は、１つのＲＢペアにおけるＥ−ＲＥＧにマッピングされることができる。また、局所マッピングの場合、ＲＢペアを構成するＥ−ＲＥＧの一部または全部は、周波数方向に連続して配置される複数のＲＢペアにおけるＥ−ＲＥＧの全部からマッピングされることができる。なお、局所マッピングおよび／または分散マッピングにおいて、それぞれのＥ−ＣＣＥが１つ以上のＥ−ＲＥＧで構成される場合を説明するが、Ｅ−ＲＥＧが定義されず、それぞれのＥ−ＣＣＥが１つ以上のＲＢペアで構成される場合も同様に適用することができる。
【００９３】
また、１つのＲＢペアを構成するＥ−ＲＥＧの数は、所定の値で規定される。また、１つのＲＢペアを構成するＥ−ＲＥＧの数は、基地局１００により設定される第２の制御チャネルに関する制御情報によって黙示的（implicit）に決定されてもよい。例えば、１つのＲＢペアを構成するＥ−ＲＥＧの数は、基地局１００により設定される第２の制御チャネル領域のマッピング方法（例えば、局所マッピングまたは分散マッピング）によって決定されてもよい。また、例えば、１つのＲＢペアを構成するＥ−ＲＥＧの数は、基地局１００により設定されるＥ−ＣＣＥと端末固有参照信号とのマッピング方法（Ｅ−ＣＣＥとアンテナポートとのマッピング方法）によって決定されてもよい。また、１つのＥ−ＣＣＥを構成するＥ−ＲＥＧの数は、基地局１００により設定される第２の制御チャネルに関する制御情報によって明示的（explicit）に決定されてもよい。
【００９４】
以上のことから、基地局１００が端末２００に対するＥ−ＰＤＣＣＨのＰＲＢペアへのマッピング方法は、以下の通りである。まず、Ｅ−ＰＤＣＣＨは、１つまたは複数のＥ−ＣＣＥにマッピングされる。次に、分散マッピングの場合、Ｅ−ＣＣＥを構成する複数のＥ−ＲＥＧは、複数のＲＢペアにおけるＥ−ＲＥＧにマッピングされる。また、局所マッピングの場合、Ｅ−ＣＣＥを構成する複数のＥ−ＲＥＧは、１つのＲＢペア、または、周波数方向に連続して配置される複数のＲＢペアにおけるＥ−ＲＥＧにマッピングされる。次に、Ｅ−ＲＥＧがマッピングされた複数のＲＢペアは、第２の制御チャネル領域を構成する複数のＰＲＢペアの一部または全部にマッピングされる。
【００９５】
ここで、第２の制御チャネル領域として用いられるＲＢペアの番号付けは、様々な方法を用いることができる。第２の制御チャネル領域として用いられるＲＢペアの番号付けは、予め規定された規則によって行われる。例えば、第２の制御チャネル領域として用いられるＲＢペアの番号は、周波数の低い方から順に設定されてもよい。
【００９６】
一方、端末２００が基地局１００から通知されるＥ−ＰＤＣＣＨを検出するためのＥ−ＣＣＥの認識方法は、以下の通りである。まず、端末２００は、基地局１００から設定される第２の制御チャネル領域のＰＲＢペアを、第２の制御チャネル領域として用いられるＲＢペアとして認識する。次に、端末２００は、第２の制御チャネル領域として用いられるＲＢペアの各々において、Ｅ−ＣＣＥを構成するＥ−ＲＥＧまたはリソースエレメントを認識する。次に、端末２００は、Ｅ−ＰＤＣＣＨが局所マッピングまたは分散マッピングされているかに応じて、認識されたＥ−ＲＥＧまたはリソースエレメントに基づいて、Ｅ−ＣＣＥを認識する。さらに、端末２００は、認識したＥ−ＣＣＥに基づいて、Ｅ−ＰＤＣＣＨの検出処理（ブラインドデコーディング）を行う。Ｅ−ＰＤＣＣＨの検出処理の方法は、後述する方法を用いる。
【００９７】
以下では、第２の制御チャネル領域として用いられるＲＢペアとＥ−ＣＣＥとの関連付け（マッピング）を説明する。
【００９８】
図５は、１つのＲＢペアで構成されるＥ−ＲＥＧの数が１６であり、Ｅ−ＰＤＣＣＨが分散マッピングされる場合の一例を示す図である。この例では、第２の制御チャネル領域におけるＲＢペアの数が４である。１つのＥ−ＣＣＥを構成するＥ−ＲＥＧの数は４である。その場合、第２の制御チャネル領域におけるＥ−ＲＥＧの総数は６４である。また、第２の制御チャネル領域におけるＥ−ＣＣＥの総数は１６である。また、１つのＥ−ＣＣＥを構成するＥ−ＲＥＧの各々は、異なるＲＢペアにおけるＥ−ＲＥＧに関連付けられる。具体的には、Ｅ−ＣＣＥ１を構成するＥ−ＲＥＧ１−１、Ｅ−ＲＥＧ１−２、Ｅ−ＲＥＧ１−３およびＥ−ＲＥＧ１−４は、それぞれＲＢ１、ＲＢ２、ＲＢ３およびＲＢ４に関連付けられる。一方、１つのＲＢペアに構成されるＥ−ＲＥＧの各々は、異なるＥ−ＣＣＥにおけるＥ−ＲＥＧから関連付けられる。具体的には、ＲＢ１に構成される１６個のＥ−ＲＥＧは、Ｅ−ＣＣＥ１〜１６を構成するＥ−ＲＥＧ１−１、Ｅ−ＲＥＧ２−１、Ｅ−ＲＥＧ３−１、Ｅ−ＲＥＧ４−１、Ｅ−ＲＥＧ５−１、Ｅ−ＲＥＧ６−１、Ｅ−ＲＥＧ７−１、Ｅ−ＲＥＧ８−１、Ｅ−ＲＥＧ９−１、Ｅ−ＲＥＧ１０−１、Ｅ−ＲＥＧ１１−１、Ｅ−ＲＥＧ１２−１、Ｅ−ＲＥＧ１３−１、Ｅ−ＲＥＧ１４−１、Ｅ−ＲＥＧ１５−１、Ｅ−ＲＥＧ１６−１から関連付けられる。
【００９９】
図６は、１つのＲＢペアで構成されるＥ−ＲＥＧの数が１６であり、Ｅ−ＰＤＣＣＨが局所マッピングされる場合の一例を示す図である。この例では、第２の制御チャネル領域におけるＲＢペアの数が４である。１つのＥ−ＣＣＥを構成するＥ−ＲＥＧの数は４である。その場合、第２の制御チャネル領域におけるＥ−ＲＥＧの総数は６４である。また、第２の制御チャネル領域におけるＥ−ＣＣＥの総数は１６である。また、１つのＥ−ＣＣＥを構成するＥ−ＲＥＧの全部は、同じＲＢペアにおけるＥ−ＲＥＧに関連付けられる。具体的には、Ｅ−ＣＣＥ１を構成するＥ−ＲＥＧ１−１、Ｅ−ＲＥＧ１−２、Ｅ−ＲＥＧ１−３およびＥ−ＲＥＧ１−４は、ＲＢ１に関連付けられる。一方、１つのＲＢペアで構成されるＥ−ＲＥＧは、複数のＥ−ＣＣＥを構成するＥ−ＲＥＧから関連付けられる。具体的には、ＲＢ１を構成する１６個のＥ−ＲＥＧは、Ｅ−ＣＣＥ１〜４を構成するＥ−ＲＥＧ１−１、Ｅ−ＲＥＧ１−２、Ｅ−ＲＥＧ１−３、Ｅ−ＲＥＧ１−４、Ｅ−ＲＥＧ２−１、Ｅ−ＲＥＧ２−２、Ｅ−ＲＥＧ２−３、Ｅ−ＲＥＧ２−４、Ｅ−ＲＥＧ３−１、Ｅ−ＲＥＧ３−２、Ｅ−ＲＥＧ３−３、Ｅ−ＲＥＧ３−４、Ｅ−ＲＥＧ４−１、Ｅ−ＲＥＧ４−２、Ｅ−ＲＥＧ４−３、Ｅ−ＲＥＧ４−４から関連付けられる。
【０１００】
図７は、１つのＲＢペアで構成されるＥ−ＲＥＧの数が８であり、Ｅ−ＰＤＣＣＨが分散マッピングされる場合の一例を示す図である。この例では、第２の制御チャネル領域におけるＲＢペアの数が２である。１つのＥ−ＣＣＥを構成するＥ−ＲＥＧの数は２である。その場合、第２の制御チャネル領域におけるＥ−ＲＥＧの総数は１６である。また、第２の制御チャネル領域におけるＥ−ＣＣＥの総数は８である。また、１つのＥ−ＣＣＥを構成するＥ−ＲＥＧの各々は、異なるＲＢペアにおけるＥ−ＲＥＧに関連付けられる。具体的には、Ｅ−ＣＣＥ１を構成するＥ−ＲＥＧ１−１およびＥ−ＲＥＧ１−２は、それぞれＲＢ１およびＲＢ２に関連付けられる。一方、１つのＲＢペアに構成されるＥ−ＲＥＧの各々は、異なるＥ−ＣＣＥにおけるＥ−ＲＥＧから関連付けられる。具体的には、ＲＢ１に構成される８個のＥ−ＲＥＧは、Ｅ−ＣＣＥ１〜８を構成するＥ−ＲＥＧ１−１、Ｅ−ＲＥＧ２−１、Ｅ−ＲＥＧ３−１、Ｅ−ＲＥＧ４−１、Ｅ−ＲＥＧ５−１、Ｅ−ＲＥＧ６−１、Ｅ−ＲＥＧ７−１、Ｅ−ＲＥＧ８−１から関連付けられる。なお、図７では、第２の制御チャネル領域として用いられるＲＢペアの数が２の場合が説明されたが、その数が２の倍数であっても同様に適用することができる。例えば、第２の制御チャネル領域として用いられるＲＢペアの数が４の場合、アグリゲーションレベルが２以上のＥ−ＰＤＣＣＨが、その４つのＲＢペアに分散されてマッピングされるように、第２の制御チャネル領域として用いられるＲＢペアにおけるＥ−ＲＥＧと、Ｅ−ＣＣＥに対するＥ−ＲＥＧとの関連付けを規定することができる。
【０１０１】
図８は、１つのＲＢペアで構成されるＥ−ＲＥＧの数が８であり、Ｅ−ＰＤＣＣＨが局所マッピングされる場合の一例を示す図である。この例では、第２の制御チャネル領域におけるＲＢペアの数が２である。１つのＥ−ＣＣＥを構成するＥ−ＲＥＧの数は２である。その場合、第２の制御チャネル領域におけるＥ−ＲＥＧの総数は１６である。また、第２の制御チャネル領域におけるＥ−ＣＣＥの総数は８である。また、１つのＥ−ＣＣＥを構成するＥ−ＲＥＧの全部は、同じＲＢペアにおけるＥ−ＲＥＧに関連付けられる。具体的には、Ｅ−ＣＣＥ１を構成するＥ−ＲＥＧ１−１およびＥ−ＲＥＧ１−２は、ＲＢ１に関連付けられる。一方、１つのＲＢペアで構成されるＥ−ＲＥＧは、複数のＥ−ＣＣＥを構成するＥ−ＲＥＧから関連付けられる。具体的には、ＲＢ１を構成する８個のＥ−ＲＥＧは、Ｅ−ＣＣＥ１〜４を構成するＥ−ＲＥＧ１−１、Ｅ−ＲＥＧ２−１、Ｅ−ＲＥＧ３−１、Ｅ−ＲＥＧ４−１、Ｅ−ＲＥＧ１−２、Ｅ−ＲＥＧ２−２、Ｅ−ＲＥＧ３−２、Ｅ−ＲＥＧ４−２から関連付けられる。
【０１０２】
次に、１つのＲＢペアで構成されるＥ−ＲＥＧの構成の詳細を説明する。基地局１００と端末２００との間で用いられるＥ−ＲＥＧには、Ｅ−ＲＥＧを識別するための番号が付与されている。Ｅ−ＲＥＧの番号付けは、予め決められた規則に基づいて行なわれる。Ｅ−ＲＥＧの番号付けに用いられる規則は、様々な方法を用いることができる。また、番号付けが行われたＥ−ＲＥＧ番号は、図５および図６で説明したＲＢペアを構成するＥ−ＲＥＧに対応付けられる。また、１つのＲＢペアを構成するＥ−ＲＥＧ番号は、分散マッピングおよび局所マッピングで共通に用いることができる。また、Ｅ−ＲＥＧの番号付けは、分散マッピングおよび局所マッピングのそれぞれを考慮して行われることが好ましい。以下では、１つのＲＢペアに対するＥ−ＲＥＧの番号付けの規則が説明されるが、複数のＲＢペアにまたがって行われるＥ−ＲＥＧの番号付けにも適用できる。
【０１０３】
ここで、Ｅ−ＲＥＧの番号付けにおいて、端末固有参照信号、セル固有参照信号、伝送路状況測定用参照信号および／またはブロードキャストチャネルがマッピングされるリソースエレメントは、そのまま（パンクチャリングして）番号付けを行なってもよい。すなわち、Ｅ−ＲＥＧの番号付けは、リソースエレメントにマッピングされる信号に依存せずに、ＲＢペア内のリソースエレメント全体に渡って行われる。端末２００は、端末固有参照信号、セル固有参照信号、伝送路状況測定用参照信号および／またはブロードキャストチャネルがマッピングされるリソースエレメントに、制御チャネルがマッピングされていないものと認識する。これにより、Ｅ−ＲＥＧの定義が、リソースエレメントにマッピングされる信号に依存せずに決まるため、基地局１００および端末２００における処理や記憶容量を低減することができる。
【０１０４】
ここで、Ｅ−ＲＥＧの番号付けにおいて、セル固有参照信号、伝送路状況測定用参照信号および／またはブロードキャストチャネルがマッピングされるリソースエレメントは、そのまま（パンクチャリングして）番号付けを行なってもよい。また、Ｅ−ＲＥＧの番号付けは、端末固有参照信号がマッピングされるリソースエレメントのみ考慮して行われる。例えば、Ｅ−ＲＥＧの番号付けは、端末固有参照信号がマッピングされるリソースエレメントのみを飛び越えて（レートマッチングして）行われる。すなわち、Ｅ−ＲＥＧの番号付けは、端末固有参照信号を除いて、リソースエレメントにマッピングされる信号に依存せずに、ＲＢペア内のリソースエレメント全体に渡って行われる。端末２００は、端末固有参照信号、セル固有参照信号、伝送路状況測定用参照信号および／またはブロードキャストチャネルがマッピングされるリソースエレメントに、制御チャネルがマッピングされていないものと認識する。これにより、Ｅ−ＲＥＧの定義が、端末固有参照信号を除いて、リソースエレメントにマッピングされる信号に依存せずに決まるため、基地局１００および端末２００における処理や記憶容量を低減することができる。また、第２の制御チャネルが端末固有参照信号を用いて復調処理される場合、第２の制御チャネルがマッピングされるＲＢペアには端末固有参照信号がマッピングされる。そのため、第２の制御チャネルは、端末固有参照信号によるリソースのオーバーヘッドを考慮してマッピングすることができる。
【０１０５】
ここで、Ｅ−ＲＥＧの番号付けにおいて、端末固有参照信号、セル固有参照信号、伝送路状況測定用参照信号および／またはブロードキャストチャネルがマッピングされるリソースエレメントは、飛び越えて（レートマッチングして）番号付けを行なってもよい。すなわち、Ｅ−ＲＥＧの番号付けは、端末固有参照信号、セル固有参照信号、伝送路状況測定用参照信号および／またはブロードキャストチャネルがマッピングされるリソースエレメントを除いて、ＲＢペア内のリソースエレメント全体に渡って行われる。これにより、第２の制御チャネルは、端末固有参照信号、セル固有参照信号、伝送路状況測定用参照信号および／またはブロードキャストチャネルによるリソースのオーバーヘッドを考慮してマッピングすることができる。
【０１０６】
図９は、Ｅ−ＲＥＧの構成の一例を示す図である。この図は、１つのＲＢペアを構成するＥ−ＲＥＧの数が１６の場合における、第２の制御チャネル領域として用いられる４つのＲＢペア（nRB=1,2,3,4）を示している。また、図９に示されるＲＢペアは、図５および６に示されるＲＢペアに対応付けられる。また、それぞれのＲＢペアにおいて、前半のスロット０と、後半のスロット１とは、それぞれＯＦＤＭシンボル番号０〜６の７つのＯＦＤＭシンボルで構成される。また、それぞれのＲＢペアにおいて、１６個のＥ−ＲＥＧが規定される。それぞれのＲＢペアにおいて、０〜１５で示されるリソースエレメントのセットは、それぞれ独立したＥ−ＲＥＧを構成する。例えば、ＲＢ１において０で示されるリソースエレメントのセットと、ＲＢ２において０で示されるリソースエレメントのセットと、ＲＢ３において０で示されるリソースエレメントのセットと、ＲＢ４において０で示されるリソースエレメントのセットとは、それぞれ独立したＥ−ＲＥＧである。また、それぞれのリソースエレメントに示される番号はＥ−ＲＥＧ番号とすることができる。すなわち、それぞれのＲＢにおいて、Ｅ−ＲＥＧ０〜Ｅ−ＲＥＧ１５が示されている。ここで、Ｅ−ＲＥＧ番号は以下の説明のために付加されたものであるため、他の番号が付加されてもよい。例えば、図９で示されるように、それぞれのＲＢペアにおいて、０〜１５の番号付けを行う以外の方法を用いて番号付けを行なってもよい。例えば、第２の制御チャネル領域として用いられるＲＢペアを通して、それぞれ異なるようにＥ−ＲＥＧ番号を付加してもよい。また、第２の制御チャネル領域として用いられるＲＢペアの順序は、周波数方向に対して任意にすることができる。また、第２の制御チャネル領域として用いられるＲＢペアの数が４を超える場合でも、それぞれＲＢペアは同様にＥ−ＲＥＧ構成を用いることができるが、１つのＥ−ＣＣＥに関連付けられるＥ−ＲＥＧは、４つのＲＢを単位として用いることができる。
【０１０７】
図１０は、Ｅ−ＲＥＧの構成の一例を示す図である。この図は、１つのＲＢペアを構成するＥ−ＲＥＧの数が８の場合における、第２の制御チャネル領域として用いられる４つのＲＢペア（nRB=1,2）を示している。また、図１０に示されるＲＢペアは、図７および８に示されるＲＢペアに対応付けられる。また、それぞれのＲＢペアにおいて、前半のスロット０と、後半のスロット１とは、それぞれＯＦＤＭシンボル番号０〜６の７つのＯＦＤＭシンボルで構成される。また、それぞれのＲＢペアにおいて、８個のＥ−ＲＥＧが規定される。それぞれのＲＢペアにおいて、０〜７で示されるリソースエレメントのセットは、それぞれ独立したＥ−ＲＥＧを構成する。例えば、ＲＢ１において０で示されるリソースエレメントのセットと、ＲＢ２において０で示されるリソースエレメントのセットとは、それぞれ独立したＥ−ＲＥＧである。また、それぞれのリソースエレメントに示される番号はＥ−ＲＥＧ番号とすることができる。すなわち、それぞれのＲＢにおいて、Ｅ−ＲＥＧ０〜Ｅ−ＲＥＧ７が示されている。ここで、Ｅ−ＲＥＧ番号は以下の説明のために付加されたものであるため、他の番号が付加されてもよい。例えば、図１０で示されるように、それぞれのＲＢペアにおいて、０〜７の番号付けを行う以外の方法を用いて番号付けを行なってもよい。例えば、第２の制御チャネル領域として用いられるＲＢペアを通して、それぞれ異なるようにＥ−ＲＥＧ番号を付加してもよい。また、第２の制御チャネル領域として用いられるＲＢペアの順序は、周波数方向に対して任意にすることができる。また、第２の制御チャネル領域として用いられるＲＢペアの数が２を超える場合でも、それぞれＲＢペアは同様にＥ−ＲＥＧ構成を用いることができるが、１つのＥ−ＣＣＥに関連付けられるＥ−ＲＥＧは、２つのＲＢを単位として用いることができる。
【０１０８】
ここで、それぞれのＲＢペアにおいて、サブキャリア番号０〜５およびスロット０におけるＯＦＤＭシンボル番号０〜６で表されるリソースエレメントのセットはＲＥセットＡとし、サブキャリア番号６〜１１およびスロット０におけるＯＦＤＭシンボル番号０〜６で表されるリソースエレメントのセットはＲＥセットＢとし、サブキャリア番号０〜５およびスロット１におけるＯＦＤＭシンボル番号０〜６で表されるリソースエレメントのセットはＲＥセットＣとし、サブキャリア番号６〜１１およびスロット１におけるＯＦＤＭシンボル番号０〜６で表されるリソースエレメントのセットはＲＥセットＤとする。
【０１０９】
図９で示されるＥ−ＲＥＧ構成において、ＲＢ１のＲＥセットＡにおけるＥ−ＲＥＧ構成は、ＲＢ２のＲＥセットＤにおけるＥ−ＲＥＧ構成と同じである。また、ＲＢ１のＲＥセットＢにおけるＥ−ＲＥＧ構成は、ＲＢ２のＲＥセットＣにおけるＥ−ＲＥＧ構成と同じである。また、ＲＢ１のＲＥセットＣにおけるＥ−ＲＥＧ構成は、ＲＢ２のＲＥセットBにおけるＥ−ＲＥＧ構成と同じである。また、ＲＢ１のＲＥセットDにおけるＥ−ＲＥＧ構成は、ＲＢ２のＲＥセットAにおけるＥ−ＲＥＧ構成と同じである。また、ＲＢ３のＲＥセットＡにおけるＥ−ＲＥＧ構成は、ＲＢ４のＲＥセットＤにおけるＥ−ＲＥＧ構成と同じである。また、ＲＢ３のＲＥセットＢにおけるＥ−ＲＥＧ構成は、ＲＢ４のＲＥセットＣにおけるＥ−ＲＥＧ構成と同じである。また、ＲＢ３のＲＥセットＣにおけるＥ−ＲＥＧ構成は、ＲＢ４のＲＥセットBにおけるＥ−ＲＥＧ構成と同じである。また、ＲＢ３のＲＥセットDにおけるＥ−ＲＥＧ構成は、ＲＢ４のＲＥセットAにおけるＥ−ＲＥＧ構成と同じである。
【０１１０】
図１０で示されるＥ−ＲＥＧ構成において、ＲＢ１のＲＥセットＡにおけるＥ−ＲＥＧ構成は、ＲＢ２のＲＥセットＤにおけるＥ−ＲＥＧ構成と同じである。また、ＲＢ１のＲＥセットＢにおけるＥ−ＲＥＧ構成は、ＲＢ２のＲＥセットＣにおけるＥ−ＲＥＧ構成と同じである。また、ＲＢ１のＲＥセットＣにおけるＥ−ＲＥＧ構成は、ＲＢ２のＲＥセットBにおけるＥ−ＲＥＧ構成と同じである。また、ＲＢ１のＲＥセットDにおけるＥ−ＲＥＧ構成は、ＲＢ２のＲＥセットAにおけるＥ−ＲＥＧ構成と同じである。
【０１１１】
図１１は、第２の制御チャネル領域として用いられるＲＢペアにおけるＥ−ＲＥＧ番号とＥ−ＣＣＥ番号が得られる数式の一例である。図１１では、図９および図１０で示される、それぞれのＲＢペア毎にＥ−ＲＥＧ番号が関連付けられる場合を示している。nRBのリソースエレメント(k,l)におけるＥ−ＲＥＧ番号neREG(nRB)と、neREG(nRB)に基づく第２の制御チャネル領域におけるＥ−ＣＣＥ番号neCCE_D（分散マッピングの場合）、neCCE_L（局所マッピングの場合）とが示されている。
【０１１２】
ただし、NscRBは１つのＲＢにおけるサブキャリア数である。例えば、図９および図１０の例では、NscRBは１２を用いる。NeREGRBは、１つのＲＢにおけるＥ−ＲＥＧの数である。例えば、図９の例ではNeREGRBは１６を用い、図１０の例ではNeREGRBは８を用いる。NeCCE_LRBは、局所マッピングにおいて、１つのＲＢにおけるＥ−ＣＣＥの数である。例えば、図９および図１０の例では、NeCCE_LRBは４を用いる。nsはスロット番号を示しており、１０サブフレーム（２０スロット）で構成される無線フレーム内の番号（ns=0,1,...,19）である。すなわち、スロット番号が偶数番目のスロットは、サブフレームにおける前半の７個のＯＦＤＭシンボルで構成されるスロットに相当し、図９および図１０で示されるスロット０に相当する。スロット番号が奇数番目のスロットは、サブフレームにおける後半の７個のＯＦＤＭシンボルで構成されるスロットに相当し、図９および図１０で示されるスロット１に相当する。mod(x,y)はxをyで割った余りを示す。floor(x)はxを超えない最大の自然数を示す。nanyは任意の自然数である。また、ＯＦＤＭシンボル番号が大きくなるにつれて、Ｅ−ＲＥＧ番号はサブキャリア番号に対してシフトするように構成されてもよい。nshiftは、そのシフト数を示す。例えば、nshiftを１に設定し、nanyを０にすることにより、図９および図１０で示すようなＥ−ＲＥＧ構成が得られる。
【０１１３】
図１２は、第２の制御チャネル領域として用いられるＲＢペアにおけるＥ−ＲＥＧ番号とＥ−ＣＣＥ番号が得られる数式の一例である。図１２では、第２の制御チャネル領域として用いられるＲＢペアに渡って、それぞれ異なるＥ−ＲＥＧ番号が関連付けられる場合を示している。nRBのリソースエレメント(k,l)におけるＥ−ＲＥＧ番号neREGと、neREGに基づく第２の制御チャネル領域におけるＥ−ＣＣＥ番号neCCE_D（分散マッピングの場合）、neCCE_L（局所マッピングの場合）とが示されている。
【０１１４】
以下では、それぞれのＲＢにおいて、ｋ番目のサブキャリアとｌ番目のＯＦＤＭシンボルとで示されるリソースエレメントは(k,l)と表される。また、１つのＥ−ＲＥＧを構成するリソースエレメントのセットを<(k,l)>で示される。図９および図１０では、それぞれのＲＢペアのそれぞれのスロットにおける、７個のＯＦＤＭシンボルに対して、時間方向のＯＦＤＭシンボル毎にインデックス（l=0,1,...,6）が付与される。また、図９および図１０では、それぞれのＲＢペアにおける、１２個のサブキャリアに対して、周波数方向のサブキャリア毎にインデックス（k=0,1,...,11）が付与される。
【０１１５】
ここで、図９で示されるＥ−ＲＥＧを詳細に説明する。なお、以下で説明するＥ−ＲＥＧ番号は、それぞれのＲＢペア毎に与えられる場合のＥ−ＲＥＧ番号であるが、第２の制御チャネル領域として用いられるＲＢペアで異なるように与えられる場合のＥ−ＲＥＧ番号でも同様である。図９に示すように、それぞれのＲＢペアにおいて、一方のスロットはＥ−ＲＥＧ番号０〜７で構成され、もう一方のスロットはＥ−ＲＥＧ番号８〜１５で構成されるかもしれない。また、４つのＲＢペアのうち、２つのＲＢペア（図９の例では、ＲＢ１およびＲＢ３）は、スロット０がＥ−ＲＥＧ番号０〜７で構成され、スロット１はＥ−ＲＥＧ番号８〜１５で構成されるかもしれない。４つのＲＢペアのうち、２つのＲＢペア（図９の例では、ＲＢ２およびＲＢ４）は、スロット１がＥ−ＲＥＧ番号０〜７で構成され、スロット０はＥ−ＲＥＧ番号８〜１５で構成されるかもしれない。
【０１１６】
また、図９に示すように、それぞれのＯＦＤＭシンボルにおいて、任意のＥ−ＲＥＧ番号は、分散マッピングの場合に１つのＥ−ＣＣＥに関連付けられるＥ−ＲＥＧとして用いられるＲＢペア（図９の例では、ＲＢ１〜ＲＢ４）で、同数であるかもしれない。なお、それぞれのＯＦＤＭシンボルにおいて、それぞれのＥ−ＲＥＧ番号は、第２の制御チャネル領域として用いられるＲＢペアで、同数であることが好ましいかもしれない。また、それぞれのＯＦＤＭシンボルにおいて、それぞれのＥ−ＲＥＧ番号のリソースエレメントの数は、分散マッピングの場合に１つのＥ−ＣＣＥに関連付けられるＥ−ＲＥＧとして用いられるＲＢペア（図９の例では、ＲＢ１〜ＲＢ４）で、4*NscRB/NeREGRB個であるかもしれない。例えば、図９の例では、ＲＢ１〜ＲＢ４において、スロット０のＯＦＤＭシンボル番号０におけるＥ−ＲＥＧ０〜１５は、それぞれ３つのリソースエレメントで関連付けられる。
【０１１７】
また、図９に示すように、任意のＯＦＤＭシンボルにおけるＥ−ＲＥＧの構成（順序、系列、配列）は、１つ以上のＲＢペアの間で、周波数方向にサブキャリアを単位として、巡回的にシフト（巡回シフト）するかもしれない。例えば、図９の例では、スロット０のＲＢ１およびＲＢ３において、Ｅ−ＲＥＧ０〜７で構成されるＥ−ＲＥＧ構成は、周波数方向にサブキャリアを単位として、巡回的にシフトする。また、それぞれのスロットにおいて、任意のＯＦＤＭシンボルにおけるＥ−ＲＥＧの構成は、ＯＦＤＭシンボル番号が大きくなるにつれて、任意のシフト数で巡回シフトするかもしれない。すなわち、任意のＥ−ＲＥＧ番号は、ＯＦＤＭシンボル番号が大きくなるにつれて、任意のシフト数で巡回シフトするかもしれない。ここで、ＯＦＤＭシンボルに対するシフト数は、図１１および図１２におけるnshiftに相当する。例えば、図９の例では、それぞれのスロットにおいて、任意のＯＦＤＭシンボルにおけるＥ−ＲＥＧの構成は、ＯＦＤＭシンボル番号が大きくなるにつれて、１のシフト数で巡回シフトする。すなわち、任意のＥ−ＲＥＧ番号は、ＯＦＤＭシンボル番号が大きくなるにつれて、サブキャリア番号が大きくなる方向に１のシフト数で巡回シフトする。また、このＯＦＤＭシンボルに対するシフト数は、任意の自然数を用いることができる。例えば、ＯＦＤＭシンボルに対するシフト数がプラスの値であれば、任意のＥ−ＲＥＧ番号は、ＯＦＤＭシンボル番号が大きくなるにつれて、サブキャリア番号が大きくなる方向に巡回シフトするかもしれない。また、例えば、ＯＦＤＭシンボルに対するシフト数がマイナスの値であれば、任意のＥ−ＲＥＧ番号は、ＯＦＤＭシンボル番号が大きくなるにつれて、サブキャリア番号が小さくなる方向に巡回シフトするかもしれない。また、例えば、ＯＦＤＭシンボルに対するシフト数が０であれば、サブキャリア毎のＥ−ＲＥＧ番号は１つであるかもしれない。
【０１１８】
また、図９に示すように、それぞれのＲＢペアにおいて、任意のリソースエレメント(k,l)のＥ−ＲＥＧ番号は、全て同じであるかもしれない。例えば、ＲＢ１〜ＲＢ４の(0,0)におけるＥ−ＲＥＧ番号をNeCCERBで割った時の余りは、全て０である。また、図９に示すように、それぞれのサブキャリアにおいて、スロット０の最後のＯＦＤＭシンボル（スロット０におけるＯＦＤＭシンボル番号６）のＥ−ＲＥＧ番号をNeCCERBで割った時の余りと、スロット１の最初のＯＦＤＭシンボル（スロット１におけるＯＦＤＭシンボル番号１）のＥ−ＲＥＧ番号をNeCCERBで割った時の余りとは、同じであるかもしれない。すなわち、任意のサブキャリア番号kにおいて、スロット０における(k,6) のＥ−ＲＥＧ番号をNeCCERBで割った時の余りと、スロット１における(k,0) のＥ−ＲＥＧ番号をNeCCERBで割った時の余りとは、全て同じであるかもしれない。
【０１１９】
例えば、図９に示すように、それぞれのＲＢにおけるＥ−ＲＥＧ０（neREG=0）のリソースエレメントは以下のように関連付けられる。ＲＢ１（nRB=1）におけるＥ−ＲＥＧ０は、Slot0における１１個のリソースエレメントのセット<(0,0), (1,1), (2,2), (3,3), (4,4), (5,5), (6,6), (8,0), (9,1), (10,2), (11,3)>に関連付けられる。ＲＢ２（nRB=2）におけるＥ−ＲＥＧ０は、Slot1における１１個のリソースエレメントのセット<(0,6), (2,0), (3,1), (4,2), (5,3), (6,0), (7,1), (8,2), (9,3), (10,4), (11,5)>に関連付けられる。ＲＢ３（nRB=3）におけるＥ−ＲＥＧ０は、Slot0における１０個のリソースエレメントのセット<(0,4), (1,5), (2,6), (4,0), (5,1), (6,2), (7,3), (8,4), (9,5), (10,6)>に関連付けられる。ＲＢ４（nRB=4）におけるＥ−ＲＥＧ０は、Slot1における１０個のリソースエレメントのセット<(0,2), (1,3), (2,4), (3,5), (4,6), (6,4), (7,5), (8,6), (10,0), (11,1)>に関連付けられる。
【０１２０】
ここで、図１０で示されるＥ−ＲＥＧを詳細に説明する。なお、以下で説明するＥ−ＲＥＧ番号は、それぞれのＲＢペア毎に与えられる場合のＥ−ＲＥＧ番号であるが、第２の制御チャネル領域として用いられるＲＢペアで異なるように与えられる場合のＥ−ＲＥＧ番号でも同様である。図１０に示すように、それぞれのＲＢペアにおいて、一方のスロットはＥ−ＲＥＧ番号０〜３で構成され、もう一方のスロットはＥ−ＲＥＧ番号４〜７で構成されるかもしれない。また、２つのＲＢペアのうち、一方のＲＢペア（図１０の例では、ＲＢ１）は、スロット０がＥ−ＲＥＧ番号０〜３で構成され、スロット１はＥ−ＲＥＧ番号４〜７で構成されるかもしれない。２つのＲＢペアのうち、もう一方のＲＢペア（図１０の例では、ＲＢ２）は、スロット１がＥ−ＲＥＧ番号０〜３で構成され、スロット０はＥ−ＲＥＧ番号４〜７で構成されるかもしれない。
【０１２１】
また、図１０に示すように、それぞれのＯＦＤＭシンボルにおいて、任意のＥ−ＲＥＧ番号は、分散マッピングの場合に１つのＥ−ＣＣＥに関連付けられるＥ−ＲＥＧとして用いられるＲＢペア（図１０の例では、ＲＢ１〜ＲＢ２）で、同数であるかもしれない。なお、それぞれのＯＦＤＭシンボルにおいて、それぞれのＥ−ＲＥＧ番号は、第２の制御チャネル領域として用いられるＲＢペアで、同数であることが好ましいかもしれない。また、それぞれのＯＦＤＭシンボルにおいて、それぞれのＥ−ＲＥＧ番号のリソースエレメントの数は、分散マッピングの場合に１つのＥ−ＣＣＥに関連付けられるＥ−ＲＥＧとして用いられるＲＢペア（図１０の例では、ＲＢ１〜ＲＢ２）で、4*NscRB/NeREGRB個であるかもしれない。例えば、図１０の例では、ＲＢ１〜ＲＢ２において、スロット０のＯＦＤＭシンボル番号０におけるＥ−ＲＥＧ０〜７は、それぞれ３つのリソースエレメントで関連付けられる。
【０１２２】
また、図１０に示すように、任意のＯＦＤＭシンボルにおけるＥ−ＲＥＧの構成（順序、系列、配列）は、１つ以上のＲＢペアの間で、周波数方向にサブキャリアを単位として、巡回的にシフト（巡回シフト）するかもしれない。例えば、図１０の例では、スロット０のＲＢ１において、Ｅ−ＲＥＧ０〜３で構成されるＥ−ＲＥＧ構成は、周波数方向にサブキャリアを単位として、巡回的にシフトする。また、それぞれのスロットにおいて、任意のＯＦＤＭシンボルにおけるＥ−ＲＥＧの構成は、ＯＦＤＭシンボル番号が大きくなるにつれて、任意のシフト数で巡回シフトするかもしれない。すなわち、任意のＥ−ＲＥＧ番号は、ＯＦＤＭシンボル番号が大きくなるにつれて、任意のシフト数で巡回シフトするかもしれない。ここで、ＯＦＤＭシンボルに対するシフト数は、図１１および図１２におけるnshiftに相当する。例えば、図１０の例では、それぞれのスロットにおいて、任意のＯＦＤＭシンボルにおけるＥ−ＲＥＧの構成は、ＯＦＤＭシンボル番号が大きくなるにつれて、１のシフト数で巡回シフトする。すなわち、任意のＥ−ＲＥＧ番号は、ＯＦＤＭシンボル番号が大きくなるにつれて、サブキャリア番号が大きくなる方向に１のシフト数で巡回シフトする。また、このＯＦＤＭシンボルに対するシフト数は、任意の自然数を用いることができる。例えば、ＯＦＤＭシンボルに対するシフト数がプラスの値であれば、任意のＥ−ＲＥＧ番号は、ＯＦＤＭシンボル番号が大きくなるにつれて、サブキャリア番号が大きくなる方向に巡回シフトするかもしれない。また、例えば、ＯＦＤＭシンボルに対するシフト数がマイナスの値であれば、任意のＥ−ＲＥＧ番号は、ＯＦＤＭシンボル番号が大きくなるにつれて、サブキャリア番号が小さくなる方向に巡回シフトするかもしれない。また、例えば、ＯＦＤＭシンボルに対するシフト数が０であれば、サブキャリア毎のＥ−ＲＥＧ番号は１つであるかもしれない。
【０１２３】
また、図１０に示すように、それぞれのＲＢペアにおいて、任意のリソースエレメント(k,l)のＥ−ＲＥＧ番号は、全て同じであるかもしれない。例えば、ＲＢ１〜ＲＢ２の(0,0)におけるＥ−ＲＥＧ番号をNeCCERBで割った時の余りは、全て０である。また、図１０に示すように、それぞれのサブキャリアにおいて、スロット０の最後のＯＦＤＭシンボル（スロット０におけるＯＦＤＭシンボル番号６）のＥ−ＲＥＧ番号をNeCCERBで割った時の余りと、スロット１の最初のＯＦＤＭシンボル（スロット１におけるＯＦＤＭシンボル番号１）のＥ−ＲＥＧ番号をNeCCERBで割った時の余りとは、同じであるかもしれない。すなわち、任意のサブキャリア番号kにおいて、スロット０における(k,6) のＥ−ＲＥＧ番号をNeCCERBで割った時の余りと、スロット１における(k,0) のＥ−ＲＥＧ番号をNeCCERBで割った時の余りとは、全て同じであるかもしれない。
【０１２４】
例えば、図１０に示すように、それぞれのＲＢにおけるＥ−ＲＥＧ０（neREG=0）のリソースエレメントは以下のように関連付けられる。ＲＢ１（nRB=1）におけるＥ−ＲＥＧ０は、Slot0における２１個のリソースエレメントのセット<(0,0), (4,0), (8,0), (1,1), (5,1), (9,1), (2,2), (6,2), (10,2), (3,3), (7,3), (11,3), (0,4), (4,4), (8,4), (1,5), (5,5), (9,5), (2,6), (6,6), (10,6) >に関連付けられる。ＲＢ２（nRB=2）におけるＥ−ＲＥＧ０は、Slot1における２１個のリソースエレメントのセット<(2,0), (6,0), (10,0), (3,1), (7,1), (11,1), (0,2), (4,2), (8,2), (1,3), (5,3), (9,3), (2,4), (6,4), (10,4), (3,5), (7,5), (11,5), (0,6), (4,6), (8,6)>に関連付けられる。
【０１２５】
なお、図９および図１０で示されるＥ−ＲＥＧ構成は一例であり、これに限定されるものではない。例えば、サブキャリア番号が大きくなるにつれて、Ｅ−ＲＥＧ番号が大きくなって巡回シフトされるように構成されているが、サブキャリア番号が大きくなるにつれて、Ｅ−ＲＥＧ番号が小さくなって巡回シフトされるように構成されてもよい。すなわち、図１０および図１１のＥ−ＲＥＧ番号が得られる式において、kはk’’に置き換えられ、k’’=-1*(k-11)の式がさらに追加されてもよい。なお、以下で説明するＥ−ＲＥＧ構成またはＥ−ＣＣＥ構成でも同様に適用することができる。
【０１２６】
なお、図１１および１２で示される数式では、それぞれのＲＢペア毎に与えられるサブキャリア番号を用いる場合を説明したが、これに限定されるものではない。例えば、サブキャリア番号は、システム帯域幅（コンポーネントキャリア）に渡って、異なるように与える場合でもよい。具体的には、図１１および１２で示されるＥ−ＲＥＧ番号が得られる数式に、k=mod(k’’,NscRB)をさらに追加することで実現できる。ただし、k’’は、システム帯域幅に渡って異なるように与えられるサブキャリア番号である。なお、以下で説明するＥ−ＲＥＧ構成またはＥ−ＣＣＥ構成でも同様に適用することができる。
【０１２７】
図９に示すＥ−ＲＥＧは、図５および図６に示すＲＢペアを構成するＥ−ＲＥＧとそれぞれ関連付けられる。例えば、分散マッピングを用いる場合、図９に示すＥ−ＲＥＧ０〜Ｅ−ＲＥＧ１５は、それぞれ図５に示すＥ−ＲＥＧ１−１、Ｅ−ＲＥＧ２−１、Ｅ−ＲＥＧ３−１、Ｅ−ＲＥＧ４−１、Ｅ−ＲＥＧ５−１、Ｅ−ＲＥＧ６−１、Ｅ−ＲＥＧ７−１、Ｅ−ＲＥＧ８−１、Ｅ−ＲＥＧ９−１、Ｅ−ＲＥＧ１０−１、Ｅ−ＲＥＧ１１−１、Ｅ−ＲＥＧ１２−１、Ｅ−ＲＥＧ１３−１、Ｅ−ＲＥＧ１４−１、Ｅ−ＲＥＧ１５−１、Ｅ−ＲＥＧ１６−１に関連付けられる。また、局所マッピングを用いる場合、図９に示すＥ−ＲＥＧ０〜Ｅ−ＲＥＧ１５は、それぞれ図６に示すＥ−ＲＥＧ１−１、Ｅ−ＲＥＧ２−１、Ｅ−ＲＥＧ３−１、Ｅ−ＲＥＧ４−１、Ｅ−ＲＥＧ１−２、Ｅ−ＲＥＧ２−２、Ｅ−ＲＥＧ３−２、Ｅ−ＲＥＧ４−２、Ｅ−ＲＥＧ１−３、Ｅ−ＲＥＧ２−３、Ｅ−ＲＥＧ３−３、Ｅ−ＲＥＧ４−３、Ｅ−ＲＥＧ１−４、Ｅ−ＲＥＧ２−４、Ｅ−ＲＥＧ３−４、Ｅ−ＲＥＧ４−４に関連付けられる。
【０１２８】
図１０に示すＥ−ＲＥＧは、図７および図８に示すＲＢペアを構成するＥ−ＲＥＧとそれぞれ関連付けられる。例えば、分散マッピングを用いる場合、図１０に示すＥ−ＲＥＧ０〜Ｅ−ＲＥＧ７は、それぞれ図７に示すＥ−ＲＥＧ１−１、Ｅ−ＲＥＧ２−１、Ｅ−ＲＥＧ３−１、Ｅ−ＲＥＧ４−１、Ｅ−ＲＥＧ５−１、Ｅ−ＲＥＧ６−１、Ｅ−ＲＥＧ７−１、Ｅ−ＲＥＧ８−１に関連付けられる。また、局所マッピングを用いる場合、図１０に示すＥ−ＲＥＧ０〜Ｅ−ＲＥＧ７は、それぞれ図８に示すＥ−ＲＥＧ１−１、Ｅ−ＲＥＧ２−１、Ｅ−ＲＥＧ３−１、Ｅ−ＲＥＧ４−１、Ｅ−ＲＥＧ１−２、Ｅ−ＲＥＧ２−２、Ｅ−ＲＥＧ３−２、Ｅ−ＲＥＧ４−２に関連付けられる。
【０１２９】
図５および図７に示すように、Ｅ−ＣＣＥを構成するＥ−ＲＥＧは複数のＲＢペアに分散マッピングされる。図６および図８に示すように、Ｅ−ＣＣＥを構成するＥ−ＲＥＧは１つのＲＢペアに局所マッピングされる。ここで、図９および図１０で示されるＥ−ＲＥＧ構成は、分散マッピングおよび局所マッピングで、共通に用いられることができる。また、図１１および図１２で示されるように、分散マッピングにおけるＥ−ＣＣＥ番号neCCE_Dおよび局所マッピングにおけるＥ−ＣＣＥ番号neCCE_Lは、それぞれＥ−ＲＥＧ番号に基づいて得られるかもしれない。
【０１３０】
Ｅ−ＲＥＧ番号がそれぞれのＲＢペア毎に関連付けられる場合、分散マッピングにおけるＥ−ＣＣＥは、図１１に示すように、同じＥ−ＲＥＧ番号の複数のＥ−ＲＥＧに関連付けられる。例えば、また、例えば、図１０で示されるようにNeREGRBが８である場合、分散マッピングにおけるＥ−ＣＣＥ０（neCCE_D=0）は、２つのＥ−ＲＥＧ（ＲＢ１におけるＥ−ＲＥＧ０、ＲＢ２におけるＥ−ＲＥＧ０）に関連付けられる。
【０１３１】
また、第２の制御チャネル領域として用いられるＲＢペアに渡って、それぞれ異なるＥ−ＲＥＧ番号が関連付けられる場合、分散マッピングにおけるＥ−ＣＣＥは、図１２に示すように、Ｅ−ＲＥＧ番号をNeREGRBで割った時の余りが同じである複数のＥ−ＲＥＧに関連付けられる。例えば、図９で示されるようにNeREGRBが１６である場合、分散マッピングにおけるＥ−ＣＣＥ０（neCCE_D=0）は、４つのＥ−ＲＥＧ（ＲＢ１におけるＥ−ＲＥＧ０、ＲＢ２におけるＥ−ＲＥＧ１６、ＲＢ３におけるＥ−ＲＥＧ３２、ＲＢ４におけるＥ−ＲＥＧ４８）に関連付けられる。また、例えば、図１０で示されるようにNeREGRBが８である場合、分散マッピングにおけるＥ−ＣＣＥ０（neCCE_D=0）は、２つのＥ−ＲＥＧ（ＲＢ１におけるＥ−ＲＥＧ０、ＲＢ２におけるＥ−ＲＥＧ１６）に関連付けられる。
【０１３２】
図１３は、Ｅ−ＲＥＧの構成の一例を示す図である。この図は、１つのＲＢペアを構成するＥ−ＲＥＧの数が１６の場合における、第２の制御チャネル領域として用いられるＲＢペアを示している。また、図１３で示されるＥ−ＲＥＧ構成は、第２の制御チャネル領域として用いられる全てのＲＢペアで用いられる。ここでは、その一例として、第２の制御チャネル領域として用いられる４つのＲＢペア（nRB=1,2,3,4）を用いる場合を想定する。また、図１３に示されるＲＢペアは、図５および６に示されるＲＢペアに対応付けられる。また、それぞれのＲＢペアにおいて、前半のスロット０と、後半のスロット１とは、それぞれＯＦＤＭシンボル番号０〜６の７つのＯＦＤＭシンボルで構成される。また、それぞれのＲＢペアにおいて、１６個のＥ−ＲＥＧが規定される。それぞれのＲＢペアにおいて、１〜１６で示されるリソースエレメントのセットは、それぞれ独立したＥ−ＲＥＧを構成する。例えば、ＲＢ１において０で示されるリソースエレメントのセットと、ＲＢ２において０で示されるリソースエレメントのセットと、ＲＢ３において０で示されるリソースエレメントのセットと、ＲＢ４において０で示されるリソースエレメントのセットとは、それぞれ独立したＥ−ＲＥＧである。また、それぞれのリソースエレメントに示される番号はＥ−ＲＥＧ番号とすることができる。すなわち、それぞれのＲＢにおいて、Ｅ−ＲＥＧ０〜Ｅ−ＲＥＧ１５が示されている。ここで、Ｅ−ＲＥＧ番号は以下の説明のために付加されたものであるため、他の番号が付加されてもよい。例えば、図１３で示されるように、それぞれのＲＢペアにおいて、０〜１５の番号付けを行う以外の方法を用いて番号付けを行なってもよい。例えば、第２の制御チャネル領域として用いられるＲＢペアを通して、それぞれ異なるようにＥ−ＲＥＧ番号を付加してもよい。また、第２の制御チャネル領域として用いられるＲＢペアの順序は、周波数方向に対して任意にすることができる。また、第２の制御チャネル領域として用いられるＲＢペアの数が４を超える場合でも、それぞれＲＢペアは同様にＥ−ＲＥＧ構成を用いることができるが、１つのＥ−ＣＣＥに関連付けられるＥ−ＲＥＧは、４つのＲＢを単位として用いることができる。
【０１３３】
ここで、図１３に示されるＥ−ＲＥＧ構成について説明する。Ｅ−ＲＥＧ０〜Ｅ−ＲＥＧ１５の一部が、それぞれのＯＦＤＭシンボルのリソースエレメントに関連付けられる。さらに、ＯＦＤＭシンボル番号が大きくなるにつれて、周波数方向に関連付けられたＥ−ＲＥＧ番号が巡回的にシフトする。この巡回的にシフトするシフト数は、ＯＦＤＭシンボル番号に対して一定にすることができる。また、その巡回シフトにより構成されるＥ−ＲＥＧは、それぞれのスロットで独立に構成することができる。また、スロット０における最後のＯＦＤＭシンボル（スロット０におけるＯＦＤＭシンボル番号６）のＥ−ＲＥＧ番号と、スロット１における最初のＯＦＤＭシンボル（スロット１におけるＯＦＤＭシンボル番号０）のＥ−ＲＥＧ番号とは、それぞれのサブキャリアにおいて、同じにすることができる。
【０１３４】
例えば、Ｅ−ＲＥＧ構成の一例は、図１３に示されるように、それぞれのＲＢペアにおいて、Ｅ−ＲＥＧ０〜Ｅ−ＲＥＧ１５が関連付けられる。Ｅ−ＲＥＧ０は、スロット０におけるリソースエレメントのセット<(0,0), (1,1), (2,2), (3,3), (4,4), (5,5), (6,6)>と、スロット１におけるリソースエレメントのセット<(6,0), (7,1), (8,2), (9,3), (10,4), (11,5)>に関連付けられる。Ｅ−ＲＥＧ１は、スロット０におけるリソースエレメントのセット<(1,0), (2,1), (3,2), (4,3), (5,4), (6,5), (7,6)>と、スロット１におけるリソースエレメントのセット<(7,0), (8,1), (9,2), (10,3), (11,4)>に関連付けられる。Ｅ−ＲＥＧ２は、スロット０におけるリソースエレメントのセット<(2,0), (3,1), (4,2), (5,3), (6,4), (7,5), (8,6)>と、スロット１におけるリソースエレメントのセット<(8,0), (9,1), (10,2), (11,3)>に関連付けられる。Ｅ−ＲＥＧ３は、スロット０におけるリソースエレメントのセット<(3,0), (4,1), (5,2), (6,3), (7,4), (8,5), (9,6)>と、スロット１におけるリソースエレメントのセット<(9,0), (10,1), (11,2)>に関連付けられる。Ｅ−ＲＥＧ４は、スロット０におけるリソースエレメントのセット<(4,0), (5,1), (6,2), (7,3), (8,4), (9,5), (10,6)>と、スロット１におけるリソースエレメントのセット<(10,0), (11,1), (0,6)>に関連付けられる。Ｅ−ＲＥＧ５は、スロット０におけるリソースエレメントのセット<(5,0), (6,1), (7,2), (8,3), (9,4), (10,5), (11,6)>と、スロット１におけるリソースエレメントのセット<(11,0), (0,5), (1,6)>に関連付けられる。Ｅ−ＲＥＧ６は、スロット０におけるリソースエレメントのセット<(6,0), (7,1), (8,2), (9,3), (10,4), (11,5)>と、スロット１におけるリソースエレメントのセット<(0,4), (1,5), (2,6)>に関連付けられる。Ｅ−ＲＥＧ７は、スロット０におけるリソースエレメントのセット<(7,0), (8,1), (9,2), (10,3), (11,4)>と、スロット１におけるリソースエレメントのセット<(0,3), (1,4), (2,5), (3,6)>に関連付けられる。Ｅ−ＲＥＧ８は、スロット０におけるリソースエレメントのセット<(8,0), (9,1), (10,2), (11,3)>と、スロット１におけるリソースエレメントのセット<(0,2), (1,3), (2,4), (3,5), (4,6)>に関連付けられる。Ｅ−ＲＥＧ９は、スロット０におけるリソースエレメントのセット<(9,0), (10,1), (11,2)>と、スロット１におけるリソースエレメントのセット<(0,1), (1,2), (2,3), (3,4), (4,5), (5,6)>に関連付けられる。Ｅ−ＲＥＧ１０は、スロット０におけるリソースエレメントのセット<(10,0), (11,1), (0,6)>と、スロット１におけるリソースエレメントのセット<(0,0), (1,1), (2,2), (3,3), (4,4), (5,5), (6,6)>に関連付けられる。Ｅ−ＲＥＧ１１は、スロット０におけるリソースエレメントのセット<(11,0), (0,5), (1,6)>と、スロット１におけるリソースエレメントのセット<(1,0), (2,1), (3,2), (4,3), (5,4), (6,5), (7,6)>に関連付けられる。Ｅ−ＲＥＧ１２は、スロット０におけるリソースエレメントのセット<(0,4), (1,5), (2,6)>と、スロット１におけるリソースエレメントのセット<(2,0), (3,1), (4,2), (5,3), (6,4), (7,5), (8,6)>に関連付けられる。Ｅ−ＲＥＧ１３は、スロット０におけるリソースエレメントのセット<(0,3), (1,4), (2,5), (3,6)>と、スロット１におけるリソースエレメントのセット<(3,0), (4,1), (5,2), (6,3), (7,4), (8,5), (9,6)>に関連付けられる。Ｅ−ＲＥＧ１４は、スロット０におけるリソースエレメントのセット<(0,2), (1,3), (2,4), (3,5), (4,6)>と、スロット１におけるリソースエレメントのセット<(4,0), (5,1), (6,2), (7,3), (8,4), (9,5), (10,6)>に関連付けられる。Ｅ−ＲＥＧ１５は、スロット０におけるリソースエレメントのセット<(0,1), (1,2), (2,3), (3,4), (4,5), (5,6)>と、スロット１におけるリソースエレメントのセット<(5,0), (6,1), (7,2), (8,3), (9,4), (10,5), (11,6)>に関連付けられる。
【０１３５】
図１４は、Ｅ−ＲＥＧの構成の一例を示す図である。この図は、１つのＲＢペアを構成するＥ−ＲＥＧの数が８の場合における、第２の制御チャネル領域として用いられるＲＢペアを示している。また、図１４で示されるＥ−ＲＥＧ構成は、第２の制御チャネル領域として用いられる全てのＲＢペアで用いられる。ここでは、その一例として、第２の制御チャネル領域として用いられる２つのＲＢペア（nRB=1,2）を用いる場合を想定する。また、図１４に示されるＲＢペアは、図７および８に示されるＲＢペアに対応付けられる。また、それぞれのＲＢペアにおいて、前半のスロット０と、後半のスロット１とは、それぞれＯＦＤＭシンボル番号０〜６の７つのＯＦＤＭシンボルで構成される。また、それぞれのＲＢペアにおいて、８個のＥ−ＲＥＧが規定される。それぞれのＲＢペアにおいて、０〜７で示されるリソースエレメントのセットは、それぞれ独立したＥ−ＲＥＧを構成する。例えば、ＲＢ１において０で示されるリソースエレメントのセットと、ＲＢ２において０で示されるリソースエレメントのセットとは、それぞれ独立したＥ−ＲＥＧである。また、それぞれのリソースエレメントに示される番号はＥ−ＲＥＧ番号とすることができる。すなわち、それぞれのＲＢにおいて、Ｅ−ＲＥＧ０〜Ｅ−ＲＥＧ７が示されている。ここで、Ｅ−ＲＥＧ番号は以下の説明のために付加されたものであるため、他の番号が付加されてもよい。例えば、図１４で示されるように、それぞれのＲＢペアにおいて、０〜７の番号付けを行う以外の方法を用いて番号付けを行なってもよい。例えば、第２の制御チャネル領域として用いられるＲＢペアを通して、それぞれ異なるようにＥ−ＲＥＧ番号を付加してもよい。また、第２の制御チャネル領域として用いられるＲＢペアの順序は、周波数方向に対して任意にすることができる。また、第２の制御チャネル領域として用いられるＲＢペアの数が２を超える場合でも、それぞれＲＢペアは同様にＥ−ＲＥＧ構成を用いることができるが、１つのＥ−ＣＣＥに関連付けられるＥ−ＲＥＧは、２つのＲＢを単位として用いることができる。
【０１３６】
ここで、図１４に示されるＥ−ＲＥＧ構成について説明する。Ｅ−ＲＥＧ０〜Ｅ−ＲＥＧ７が、それぞれのＯＦＤＭシンボルのリソースエレメントに関連付けられる。さらに、ＯＦＤＭシンボル番号が大きくなるにつれて、周波数方向に関連付けられたＥ−ＲＥＧ番号が巡回的にシフトする。この巡回的にシフトするシフト数は、ＯＦＤＭシンボル番号に対して一定にすることができる。また、その巡回シフトにより構成されるＥ−ＲＥＧは、それぞれのスロットで独立に構成することができる。また、スロット０における最後のＯＦＤＭシンボル（スロット０におけるＯＦＤＭシンボル番号６）のＥ−ＲＥＧ番号と、スロット１における最初のＯＦＤＭシンボル（スロット１におけるＯＦＤＭシンボル番号０）のＥ−ＲＥＧ番号とは、それぞれのサブキャリアにおいて、同じにすることができる。
【０１３７】
例えば、Ｅ−ＲＥＧ構成の一例は、図１４に示されるように、それぞれのＲＢペアにおいて、Ｅ−ＲＥＧ０〜Ｅ−ＲＥＧ７が関連付けられる。Ｅ−ＲＥＧ０は、スロット０におけるリソースエレメントのセット<(0,0), (1,1), (2,2), (3,3), (4,4), (5,5), (6,6), (8,0), (9,1), (10,2), (11,3)>と、スロット１におけるリソースエレメントのセット<(0,2), (1,3), (2,4), (3,5), (4,6), (6,0), (7,1), (8,2), (9,3), (10,4), (11,5)>に関連付けられる。Ｅ−ＲＥＧ１は、スロット０におけるリソースエレメントのセット<(1,0), (2,1), (3,2), (4,3), (5,4), (6,5), (7,6), (9,0), (10,1), (11,2)>と、スロット１におけるリソースエレメントのセット<(0,1), (1,2), (2,3), (3,4), (4,5), (5,6), (7,0), (8,1), (9,2), (10,3), (11,4)>に関連付けられる。Ｅ−ＲＥＧ２は、スロット０におけるリソースエレメントのセット<(0,6), (2,0), (3,1), (4,2), (5,3), (6,4), (7,5), (8,6), (10,0), (11,1)>と、スロット１におけるリソースエレメントのセット<(0,0), (1,1), (2,2), (3,3), (4,4), (5,5), (6,6), (8,0), (9,1), (10,2), (11,3)>に関連付けられる。Ｅ−ＲＥＧ３は、スロット０におけるリソースエレメントのセット<(0,5), (1,6), (3,0), (4,1), (5,2), (6,3), (7,4), (8,5), (9,6), (11,0)>と、スロット１におけるリソースエレメントのセット<(0,1), (1,2), (2,3), (3,4), (4,5), (5,6), (7,0), (8,1), (9,2), (10,3), (11,4)>に関連付けられる。Ｅ−ＲＥＧ４は、スロット０におけるリソースエレメントのセット<(0,4), (1,5), (2,6), (4,0), (5,1), (6,2), (7,3), (8,4), (9,5), (10,6)>と、スロット１におけるリソースエレメントのセット<(0,6), (2,0), (3,1), (4,2), (5,3), (6,4), (7,5), (8,6), (10,0), (11,1)>に関連付けられる。Ｅ−ＲＥＧ５は、スロット０におけるリソースエレメントのセット<(0,3), (1,4), (2,5), (3,6), (5,0), (6,1), (7,2), (8,3), (9,4), (10,5), (11,6)>と、スロット１におけるリソースエレメントのセット<(0,5), (1,6), (3,0), (4,1), (5,2), (6,3), (7,4), (8,5), (9,6), (11,0)>に関連付けられる。Ｅ−ＲＥＧ６は、スロット０におけるリソースエレメントのセット<(0,2), (1,3), (2,4), (3,5), (4,6), (6,0), (7,1), (8,2), (9,3), (10,4), (11,5)>と、スロット１におけるリソースエレメントのセット<(0,4), (1,5), (2,6), (4,0), (5,1), (6,2), (7,3), (8,4), (9,5), (10,6)>に関連付けられる。Ｅ−ＲＥＧ７は、スロット０におけるリソースエレメントのセット<(0,1), (1,2), (2,3), (3,4), (4,5), (5,6), (7,0), (8,1), (9,2), (10,3), (11,4)>と、スロット１におけるリソースエレメントのセット<(0,3), (1,4), (2,5), (3,6), (5,0), (6,1), (7,2), (8,3), (9,4), (10,5), (11,6)>に関連付けられる。
【０１３８】
図１５は、第２の制御チャネル領域として用いられるＲＢペアにおけるＥ−ＲＥＧ番号が得られる数式の一例である。図１５では、図１３および図１４で示される、それぞれのＲＢペア毎にＥ−ＲＥＧ番号が関連付けられる場合を示している。なお、m--1の値が、スロット０では０であり、スロット１では１０であるとしたが、これに限定されるものではない。例えば、スロット０におけるm--1をsとすると、スロット１におけるm--1は4*t+2+sである。ただし、sおよびtは任意の自然数である。
【０１３９】
なお、図１３および図１４で示されるＥ−ＲＥＧ構成は一例であり、これに限定されるものではない。例えば、サブキャリア番号が大きくなるにつれて、Ｅ−ＲＥＧ番号が大きくなって巡回シフトされるように構成されているが、サブキャリア番号が大きくなるにつれて、Ｅ−ＲＥＧ番号が小さくなって巡回シフトされるように構成されてもよい。すなわち、図１５のＥ−ＲＥＧ番号が得られる式において、kはk’’に置き換えられ、k’’=-1*(k-11)の式がさらに追加されてもよい。なお、以下で説明するＥ−ＲＥＧ構成またはＥ−ＣＣＥ構成でも同様に適用することができる。
【０１４０】
なお、図１３および１４で示される数式では、それぞれのＲＢペア毎に与えられるサブキャリア番号を用いる場合を説明したが、これに限定されるものではない。例えば、サブキャリア番号は、システム帯域幅（コンポーネントキャリア）に渡って、異なるように与える場合でもよい。具体的には、図１５で示されるＥ−ＲＥＧ番号が得られる数式に、k=mod(k’’,NscRB)をさらに追加することで実現できる。ただし、k’’は、システム帯域幅に渡って異なるように与えられるサブキャリア番号である。なお、以下で説明するＥ−ＲＥＧ構成またはＥ−ＣＣＥ構成でも同様に適用することができる。
【０１４１】
次に、図１３および図１４で示されるＥ−ＲＥＧ構成を用いる場合のＥ−ＣＣＥへの関連付けについて説明する。局所マッピングおよび分散マッピングのいずれの場合でも、１つのＥ−ＣＣＥに関連付けられるＥ−ＲＥＧ番号は同じにすることができる。例えば、Ｅ−ＲＥＧ番号をNeCCE_LRBで割った時の余りが同じＥ−ＲＥＧが、１つのＥ−ＣＣＥに関連付けられることができる。ただし、局所マッピングの場合、１つのＥ−ＣＣＥは、１つのＲＢペア内の複数のＥ−ＲＥＧに関連付けられる。分散マッピングの場合、１つのＥ−ＣＣＥは、複数のＲＢペア内の複数のＥ−ＲＥＧに関連付けられる。
【０１４２】
例えば、図１３で示されるように、１つのＲＢペアを構成するＥ−ＲＥＧの数が１６である時、局所マッピングの１つのＥ−ＣＣＥは、第２の制御チャネル領域として用いられるＲＢペアにおいて、同一のＲＢペアにおけるＥ−ＲＥＧ０、Ｅ−ＲＥＧ４、Ｅ−ＲＥＧ８およびＥ−ＲＥＧ１２に関連付けられる。また、例えば、図１３で示されるように、１つのＲＢペアを構成するＥ−ＲＥＧの数が１６である時、分散マッピングの１つのＥ−ＣＣＥは、第２の制御チャネル領域として用いられるＲＢペアにおいて、それぞれ異なるＲＢペアにおけるＥ−ＲＥＧ０、Ｅ−ＲＥＧ４、Ｅ−ＲＥＧ８およびＥ−ＲＥＧ１２に関連付けられる。また、例えば、図１４で示されるように、１つのＲＢペアを構成するＥ−ＲＥＧの数が８である時、局所マッピングの１つのＥ−ＣＣＥは、第２の制御チャネル領域として用いられるＲＢペアにおいて、同一のＲＢペアにおけるＥ−ＲＥＧ０およびＥ−ＲＥＧ４に関連付けられる。また、例えば、図１４で示されるように、１つのＲＢペアを構成するＥ−ＲＥＧの数が８である時、分散マッピングの１つのＥ−ＣＣＥは、第２の制御チャネル領域として用いられるＲＢペアにおいて、それぞれ異なるＲＢペアにおけるＥ−ＲＥＧ０およびＥ−ＲＥＧ４に関連付けられる。
【０１４３】
なお、図１３および図１４で示されるＥ−ＲＥＧ構成において、第２の制御チャネル領域として用いられるそれぞれのＲＢペアにおけるＥ−ＲＥＧ番号は、図１３および図１４で示されるＥ−ＲＥＧ番号に対して、所定のNeCCE_LRBの倍数を加算して、NeREGRBを割った時の余りを用いてもよい。例えば、nRBのＲＢペアにおけるＥ−ＲＥＧ番号は、図１３および図１４で示されるＥ−ＲＥＧ番号に対して、nRBとNeCCE_LRBとを乗算したものを加算して、NeREGRBを割った時の余りを用いてもよい。
【０１４４】
図１６は、局所マッピングにおけるＥ−ＣＣＥ構成の一例である。局所マッピングにおけるＥ−ＣＣＥは、図１６で示されるように関連付けられる。局所マッピングにおけるＥ−ＣＣＥは、Ｅ−ＲＥＧ番号をNeCCE_LRBで割った時の余りが同じである複数のＥ−ＲＥＧに基づいて関連付けられる。例えば、図９で示されるようにNeREGRBが１６である場合、局所マッピングにおけるＥ−ＣＣＥ０（neCCE_L=0）は、４つのＥ−ＲＥＧ（ＲＢ１におけるＥ−ＲＥＧ０、ＲＢ１におけるＥ−ＲＥＧ４、ＲＢ１におけるＥ−ＲＥＧ８、ＲＢ１におけるＥ−ＲＥＧ１２）に関連付けられる。例えば、図１０で示されるようにNeREGRBが８である場合、局所マッピングにおけるＥ−ＣＣＥ０（neCCE_L=0）は、２つのＥ−ＲＥＧ（ＲＢ１におけるＥ−ＲＥＧ０、ＲＢ１におけるＥ−ＲＥＧ４）に関連付けられる。このように関連付けることによって、後述するＥ−ＣＣＥ間のリソースエレメントの数のばらつきを抑制することができる。
【０１４５】
なお、局所マッピングにおけるＥ−ＣＣＥ構成がＥ−ＲＥＧに基づいて関連付けられる場合を説明したが、これに限定されるものではなく、局所マッピングにおけるＥ−ＣＣＥ構成は、Ｅ−ＲＥＧを用いずに、リソースエレメントのセットとして関連付けられることができる。
【０１４６】
図１７は、局所マッピングにおけるリソースエレメントとＥ−ＣＣＥとを関連付けるための数式の一例を示す図である。図１７では、局所マッピングにおいて、それぞれのＲＢペアのリソースエレメント(k,l)に対するＥ−ＣＣＥ番号を関連付けるための数式と、それぞれのＲＢペアにおけるＥ−ＣＣＥ番号に対するリソースエレメント(k,l)を関連付けるための数式とが、示されている。それぞれのＲＢペアにおけるＥ−ＣＣＥ番号に対するリソースエレメント(k,l)を関連付けるための数式では、任意のＥ−ＣＣＥ番号に関連付けられるリソースエレメントのセットが得られる。
【０１４７】
また、図９、図１０、図１３および図１４で示されるＥ−ＲＥＧ構成は、それぞれのＲＢペアにおいて、所定のリソースエレメントのセットを単位として、任意に入れ替えることができる。例えば、それぞれのＲＢペアにおいて、所定のサブキャリアを単位として、任意に入れ替えることができる。例えば、それぞれのＲＢペアにおいて、周波数の低い方から３つのサブキャリア毎に構成されるリソースエレメントのセットを単位として、任意に入れ替えることができる。具体的には、それぞれのＲＢペアにおいて、サブキャリア番号０〜２で構成されるリソースエレメントのセットと、サブキャリア番号３〜５で構成されるリソースエレメントのセットと、サブキャリア番号６〜８で構成されるリソースエレメントのセットと、サブキャリア番号９〜１１で構成されるリソースエレメントのセットとは、それぞれ任意に入れ替えられることができる。また、その任意の入れ替えは、第２の制御チャネルとして用いられるＲＢペアの全てで、同様に行われるかもしれない。
【０１４８】
また、図９、図１０、図１３および図１４で示されるＥ−ＲＥＧ構成は、複数のパターンを用いることができる。複数のパターンが用いられるＥ−ＲＥＧ構成は、所定のパラメータや構成に基づいて、切り替えることができる。例えば、複数のパターンが用いられるＥ−ＲＥＧ構成は、送信ポイント（基地局、セル）毎に異なって用いることができる。例えば、Ｅ−ＲＥＧ構成における複数のパターンは、図１１、図１２および図１５で示されるnshiftおよび／またはnanyに基づいて、切り替えることができる。また、例えば、Ｅ−ＲＥＧ構成における複数のパターンは、既に説明した、それぞれのＲＢペアにおいて所定のリソースエレメントのセットを任意に入れ替えるための、入れ替えパターンに基づいて、切り替えることができる。また、nshift、nany、入れ替えパターン等のようなＥ−ＲＥＧ構成のパターンを切り替える（決定する、選択する、設定する）ためのパラメータは、基地局は端末に対して、ＲＲＣシグナリングやＰＤＣＣＨシグナリングを通じて明示的に通知することができる。また、nshift、nany、入れ替えパターン等のようなＥ−ＲＥＧ構成のパターンを切り替える（決定する、選択する、設定する）ためのパラメータは、他のパラメータや構成に基づいて黙示的に決定されることができる。以上のように、複数のパターンのＥ−ＲＥＧ構成が用いられることにより、異なるパターンのＥ−ＲＥＧ間において、互いに白色雑音化されるため、Ｅ−ＰＤＣＣＨの伝送特性が向上する。
【０１４９】
次に、以上で説明したＥ−ＲＥＧ構成および／またはＥ−ＣＣＥ構成による効果を説明する。図１１、図１２および図１５で示される数式により得られるＥ−ＲＥＧ構成において、第２の制御チャネル領域として用いられるＲＢペアのリソースエレメントは、図４で説明した第１の制御チャネル、セル固有参照信号、伝送路状況測定用参照信号、端末固有参照信号、報知チャネル、同期信号等がマッピング（多重）されるかもしれない。特に、端末固有参照信号が第２の制御チャネルを復調するために用いられる場合、アンテナポート１０７〜１１０の端末固有参照信号の一部または全部は、第２の制御チャネルがマッピングされるＲＢペアに、マッピング（多重）される。なお、第２の制御チャネル領域として用いられるＲＢペアのリソースエレメントは、第１の制御チャネル、セル固有参照信号、伝送路状況測定用参照信号、報知チャネル、同期信号はマッピングされなくてもよい。また、第２の制御チャネルがマッピングされる１つのＲＢペアにおいて、図４に示されるようにＣＤＭグループ１およびＣＤＭグループ２の端末固有参照信号が用いられる場合、第２の制御チャネルをマッピングできるリソースエレメントの数は、その端末固有参照信号がマッピングされるリソースエレメントを除いて、１４４である。
【０１５０】
図９および図１３で示されるＥ−ＲＥＧ構成において、ＣＤＭグループ１およびＣＤＭグループ２の端末固有参照信号のみがマッピングされる場合、それぞれのＥ−ＲＥＧに関連付けられるリソースエレメントの数は約９である。また、図１０および図１４で示されるＥ−ＲＥＧ構成において、ＣＤＭグループ１およびＣＤＭグループ２の端末固有参照信号のみがマッピングされる場合、それぞれのＥ−ＲＥＧに関連付けられるリソースエレメントの数は約１８である。また、図９、図１０、図１３および図１４で示されるＥ−ＲＥＧ構成に基づいて得られるＥ−ＣＣＥ構成において、ＣＤＭグループ１およびＣＤＭグループ２の端末固有参照信号のみがマッピングされる場合、それぞれのＥ−ＣＣＥに関連付けられるリソースエレメントの数は全て３６である。ここで、第１の制御チャネルに用いられるＣＣＥに関連付けられるリソースエレメントの数は３６である。第２の制御チャネルに用いられるＥ−ＣＣＥに関連付けられるリソースエレメントの数と、第１の制御チャネルに用いられるＣＣＥに関連付けられるリソースエレメントの数とが同じである。そのため、第２の制御チャネルの送信方法、受信方法、信号処理などは、第１の制御チャネルと同様のものを用いることができる。
【０１５１】
また、第２の制御チャネルがマッピングされるＲＢペアにおいて、第１の制御チャネルおよび／またはセル固有参照信号がマッピングされる場合、第２の制御チャネルがマッピングできるリソースエレメントの数は減少する。ここで、第２の制御チャネルがマッピングできるリソースエレメントの数が減少する場合において、本発明のＥ−ＲＥＧ構成に基づいて得られるＥ−ＣＣＥ間におけるリソースエレメントの数のばらつきを説明する。まず、セル固有参照信号のアンテナポート数が１（アンテナポート０）である場合、第１の制御チャネルの数（０〜３）に関わらず、Ｅ−ＣＣＥ間におけるリソースエレメントの数の最大値と最小値との差は１である。また、セル固有参照信号のアンテナポート数が２（アンテナポート０および１）である場合、第１の制御チャネルの数（０〜３）に関わらず、Ｅ−ＣＣＥ間におけるリソースエレメントの数の最大値と最小値との差は０であり、Ｅ−ＣＣＥ間におけるリソースエレメントの数のばらつきは無い。また、セル固有参照信号のアンテナポート数が４（アンテナポート０〜３）である場合、第１の制御チャネルの数（０〜３）に関わらず、Ｅ−ＣＣＥ間におけるリソースエレメントの数の最大値と最小値との差は０であり、Ｅ−ＣＣＥ間におけるリソースエレメントの数のばらつきは無い。すなわち、本発明のＥ−ＲＥＧ構成を用いることによって、そのＥ−ＲＥＧ構成に基づいて得られるＥ−ＣＣＥ間におけるリソースエレメントの数のばらつきは抑制される。そのため、第２の制御チャネルの送信に用いるＥ−ＣＣＥによって、リソースの大きさはほとんど変わらないことになる。すなわち、第２の制御チャネルの送信に用いるＥ−ＣＣＥによって、第２の制御チャネルに対する符号化利得による伝送特性の差は小さいことになる。これにより、基地局が端末に対して第２の制御チャネルを送信する際のスケジューリング処理の負荷は大幅に低減できる。
【０１５２】
また、セル固有参照信号のアンテナポート数が１（アンテナポート０）である場合、第２の制御チャネルがマッピングされるＲＢペアは、セル固有参照信号のアンテナポート数が２（アンテナポート０および１）であると見なすことができる。すなわち、基地局は、その基地局が送信するセル固有参照信号のアンテナポート数が１（アンテナポート０）である場合、端末に対して第２の制御チャネルを送信する際に、セル固有参照信号のアンテナポート数が２（アンテナポート０および１）であると想定して、第２の制御チャネルをマッピングする。端末は、基地局が送信するセル固有参照信号のアンテナポート数が１（アンテナポート０）である場合、その基地局から送信される第２の制御チャネルを検出する際に、セル固有参照信号のアンテナポート数が２（アンテナポート０および１）であると想定して、第２の制御チャネルをデマッピングする。
【０１５３】
なお、以上の説明では、ＲＢペアに関連付けられるＥ−ＲＥＧ番号が、周波数方向にサブキャリアを単位として巡回シフトする場合を説明した。時間方向の観点からも同様に説明することができる。すなわち、任意のサブキャリアにおけるＥ−ＲＥＧの構成（順序、系列、配列）は、それぞれのＲＢまたはスロットの間で、時間方向にＯＦＤＭシンボルを単位として、巡回的にシフト（巡回シフト）するかもしれない。例えば、それぞれのＲＢまたはスロットにおいて、任意のサブキャリアにおけるＥ−ＲＥＧの構成は、ＯＦＤＭシンボルに対して巡回シフトするかもしれない。また、サブキャリア番号が大きくなるにつれて、Ｅ−ＲＥＧの構成は任意のシフト数で巡回シフトするかもしれない。すなわち、任意のＥ−ＲＥＧ番号は、サブキャリア番号が大きくなるにつれて、任意のシフト数で巡回シフトするかもしれない。また、このサブキャリアに対するシフト数は、任意の自然数を用いることができる。
【０１５４】
以下では、Ｅ−ＰＤＣＣＨの詳細が説明される。第２の制御チャネル領域にマッピングされる制御チャネル（Ｅ−ＰＤＣＣＨ）は、１つまたは複数の端末に対する制御情報毎に処理され、データチャネルと同様に、スクランブル処理、変調処理、レイヤーマッピング処理、プレコーディング処理等が行われる。また、第２の制御チャネル領域にマッピングされる制御チャネルは、端末固有参照信号と共にプレコーディング処理が行われる。
【０１５５】
以下では、端末２００における第２の制御チャネルを検索（探索、ブラインドデコーディング）するための領域であるＳＳ（Search Space、探索領域）が説明される。端末２００は、基地局１００によって第２の制御チャネル領域が設定され、第２の制御チャネル領域における複数のＥ−ＣＣＥを認識する。また、端末２００は、基地局１００によってＳＳが設定される。例えば、端末２００は、基地局１００によってＳＳとして認識するＥ−ＣＣＥ番号が設定される。例えば、端末２００は、基地局１００によってＳＳとして認識するための、スタートＥ−ＣＣＥ番号（基準となるＥ−ＣＣＥ番号）となる１つのＥ−ＣＣＥ番号が設定される。端末２００は、そのスタートＥ−ＣＣＥ番号と、予め規定された規則とに基づいて、端末２００に固有のＳＳを認識する。ここで、スタートＥ−ＣＣＥ番号は、基地局１００から端末２００に固有に通知される制御情報により設定される。また、スタートＥ−ＣＣＥ番号は、基地局１００から端末２００に固有に設定されるＲＮＴＩに基づいて決定されてもよい。また、スタートＥ−ＣＣＥ番号は、基地局１００から端末２００に固有に通知される制御情報と、基地局１００から端末２００に固有に設定されるＲＮＴＩに基づいて決定されてもよい。また、スタートＥ−ＣＣＥ番号は、サブフレーム毎に番号付けされるサブフレーム番号またはスロット毎に番号付けされるスロット番号にさらに基づいて決定されてもよい。これにより、スタートＥ−ＣＣＥ番号は、端末２００に固有であり、サブフレーム毎またはスロット毎に固有の情報となる。そのため、端末２００のＳＳは、サブフレーム毎またはスロット毎に異なるように設定することができる。また、そのＳＳをスタートＥ−ＣＣＥ番号から認識するための規則は、様々な方法を用いることができる。
【０１５６】
端末２００における第２の制御チャネルを検索するためのＳＳは、１つ以上のＥ−ＣＣＥからＳＳを構成することができる。すなわち、第２の制御チャネル領域として設定された領域内のＥ−ＣＣＥを単位とし、１つ以上のＥ−ＣＣＥからなる集合（Ｅ−ＣＣＥ  Ａｇｇｒｅｇａｔｉｏｎ）により構成される。この集合を構成するＥ−ＣＣＥの数を、「Ｅ−ＣＣＥ集合レベル」（Ｅ−ＣＣＥ  ａｇｇｒｅｇａｔｉｏｎ  ｌｅｖｅｌ）と称す。最も小さいＥ−ＣＣＥから番号の連続する複数のＥ−ＣＣＥからＳＳは構成され、番号の連続する１つ以上のＥ−ＣＣＥの数は予め決められている。各Ｅ−ＣＣＥ集合レベルのＳＳは、複数の第２の制御チャネルの候補の集合体により構成される。また、第２の制御チャネルの候補の数は、Ｅ−ＣＣＥ集合レベル毎に規定されてもよい。また、ＳＳは、Ｅ−ＣＣＥ集合レベル毎に設定されてもよい。例えば、ＳＳを設定するスタートＥ−ＣＣＥは、Ｅ−ＣＣＥ集合レベル毎に設定されてもよい。
【０１５７】
基地局１００は、端末２００において設定されるＥ−ＣＣＥ内の１個以上のＥ−ＣＣＥを用いて第２の制御チャネルを送信する。端末２００は、ＳＳ内の１個以上のＥ−ＣＣＥを用いて受信信号の復号を行ない、自身宛ての第２の制御チャネルを検出するための処理を行なう（ブラインドデコーディングする）。端末２００は、Ｅ−ＣＣＥ集合レベル毎に異なるＳＳを設定する。その後、端末２００は、Ｅ−ＣＣＥ集合レベル毎に異なるＳＳ内の予め決められた組み合わせのＥ−ＣＣＥを用いてブラインドデコーディングを行なう。言い換えると、端末２００は、Ｅ−ＣＣＥ集合レベル毎に異なるＳＳ内の各第２の制御チャネルの候補に対してブラインドデコーディングを行なう（Ｅ−ＰＤＣＣＨをモニタリングする）。
【０１５８】
端末２００における第２の制御チャネルを検索するためのＳＳの一例を説明する。第２の制御チャネル領域におけるＥ−ＣＣＥの数は１６である。スタートＥ−ＣＣＥ番号は、Ｅ−ＣＣＥ１２である。ＳＳは、スタートＥ−ＣＣＥ番号から順に、Ｅ−ＣＣＥ番号が大きくなる方向にシフトしていく。また、ＳＳにおいて、Ｅ−ＣＣＥ番号が第２の制御チャネル領域におけるＥ−ＣＣＥのうち最も大きいＥ−ＣＣＥ番号となった場合、次にシフトするＥ−ＣＣＥ番号は第２の制御チャネル領域におけるＥ−ＣＣＥのうち最も小さいＥ−ＣＣＥ番号となる。すなわち、第２の制御チャネル領域におけるＥ−ＣＣＥの数がＮであり、スタートＥ−ＣＣＥ番号がＸである場合、ｍ番目にシフトするＥ−ＣＣＥ番号は、ｍｏｄ（Ｘ＋ｍ，Ｎ）となる。ここで、ｍｏｄ（Ａ，Ｂ）はＡをＢで除算した余りを示す。すなわち、ＳＳは、第２の制御チャネル領域におけるＥ−ＣＣＥ内で巡回的に設定される。例えば、Ｅ−ＣＣＥ集合レベル４の場合、Ｅ−ＰＤＣＣＨの候補数は２つである。１つ目のＥ−ＰＤＣＣＨの候補は、Ｅ−ＣＣＥ１２、Ｅ−ＣＣＥ１３、Ｅ−ＣＣＥ１４およびＥ−ＣＣＥ１５によって構成される。２つ目のＥ−ＰＤＣＣＨの候補は、Ｅ−ＣＣＥ１６、Ｅ−ＣＣＥ１、Ｅ−ＣＣＥ２およびＥ−ＣＣＥ３によって構成される。これにより、図５〜図８で説明したように、第２の制御チャネル領域が所定のＲＢを単位に設定されることにより、Ｅ−ＰＤＣＣＨがその所定のＲＢ内にマッピングされることができる。すなわち、Ｅ−ＰＤＣＣＨをマッピングするリソースが効率的に設定されることができる。
【０１５９】
また、端末２００における第２の制御チャネルを検索するためのＳＳの別の一例を説明する。既に説明したＳＳの例と異なる点は、以下の通りである。１つのＥ−ＰＤＣＣＨが構成するＥ−ＣＣＥは、第２の制御チャネル領域におけるＥ−ＣＣＥよりも小さい所定のＥ−ＣＣＥ内で、巡回的に設定される。例えば、１６個のＥ−ＣＣＥのうち、Ｅ−ＣＣＥ番号の小さい方から４個のＥ−ＣＣＥ毎のリソースが、１つのＥ−ＰＤＣＣＨをマッピングする単位として設定される。例えば、Ｅ−ＣＣＥ集合レベル２の場合、Ｅ−ＰＤＣＣＨの候補数は６つである。また、それぞれのＥ−ＰＤＣＣＨの候補は、１つのＥ−ＰＤＣＣＨをマッピングする単位において、なるべく多くの単位にマッピングされるように設定（規定）される。例えば、１つ目のＥ−ＰＤＣＣＨの候補は、Ｅ−ＣＣＥ１２およびＥ−ＣＣＥ９によって構成される。２つ目のＥ−ＰＤＣＣＨの候補は、Ｅ−ＣＣＥ１６およびＥ−ＣＣＥ１３によって構成される。３つ目のＥ−ＰＤＣＣＨの候補は、Ｅ−ＣＣＥ４およびＥ−ＣＣＥ１によって構成される。４つ目のＥ−ＰＤＣＣＨの候補は、Ｅ−ＣＣＥ８およびＥ−ＣＣＥ５によって構成される。５つ目のＥ−ＰＤＣＣＨの候補は、Ｅ−ＣＣＥ１０およびＥ−ＣＣＥ１１によって構成される。６つ目のＥ−ＰＤＣＣＨの候補は、Ｅ−ＣＣＥ１４およびＥ−ＣＣＥ１５によって構成される。これにより、図５〜図８で説明したように、第２の制御チャネル領域が所定のＲＢを単位に設定されることにより、Ｅ−ＰＤＣＣＨがその所定のＲＢ内にマッピングされることができる。すなわち、Ｅ−ＰＤＣＣＨをマッピングするリソースが効率的に設定されることができる。また、局所マッピングにおいて、１つのＲＢが所定のＥ−ＣＣＥで構成される場合、１つのＥ−ＰＤＣＣＨは１つのＲＢのみにマッピングされることができる。なお、Ｅ−ＣＣＥ集合レベル８の場合のＥ−ＰＤＣＣＨは、２つのＲＢにマッピングされる。そのため、Ｅ−ＰＤＣＣＨに対して端末固有のプレコーディング処理を行う場合、プレコーディング処理による利得が効率的に得られる。また、端末２００は、そのようなマッピングされたＥ−ＰＤＣＣＨを検出するための候補を認識することができる。
【０１６０】
なお、以上の説明では、第２の制御チャネル領域として設定されたＲＢペアから得られるＥ−ＣＣＥ全体が、ＳＳを設定する範囲としていたが、これに限定するものではない。例えば、第２の制御チャネル領域として設定されたＲＢペアの一部から得られるＥ−ＣＣＥが、ＳＳを設定する範囲としてもよい。すなわち、第２の制御チャネル領域として設定されるＲＢペアまたはＥ−ＣＣＥと、ＳＳとして設定されるＲＢペアまたはＥ−ＣＣＥとはそれぞれ異なってもよい。その場合でも、ＳＳとして設定されるＲＢペアは、所定の数の倍数を単位とすることが好ましい。例えば、第２の制御チャネル領域として設定されたＲＢペアの数が１６であり、第２の制御チャネル領域におけるＲＢ番号がＲＢ１〜ＲＢ１６である場合、ＳＳとして設定されるＥ−ＣＣＥは、ＲＢ５〜ＲＢ８およびＲＢ１３〜ＲＢ１６から得られるＥ−ＣＣＥとすることができる。また、ＳＳとして設定されるリソースは、所定の数の倍数を単位としたＥ−ＣＣＥとしてもよい。第２の制御チャネル領域として設定されたＰＲＢの一部から得られるＥ−ＣＣＥがＳＳを設定する範囲とする場合、基地局１００は端末２００に、第２の制御チャネル領域として設定するＲＢペアを示す情報と、その中からＳＳとして設定する範囲を示す情報とをＲＲＣシグナリングを通じて通知する。
【０１６１】
なお、Ｅ−ＣＣＥ集合レベルが１、２、４および８の場合を説明したが、これに限定するものではない。Ｅ−ＰＤＣＣＨの所定の受信品質またはＥ−ＰＤＣＣＨによるオーバーヘッドを変更するために、他のＥ−ＣＣＥ集合レベルが用いられてもよい。
【０１６２】
以下では、Ｅ−ＰＤＣＣＨ（Ｅ−ＣＣＥ、Ｅ−ＲＥＧ）と端末固有参照信号のアンテナポートとの対応付けが説明される。Ｅ−ＰＤＣＣＨと端末固有参照信号のアンテナポートとの対応付けは、予め規定された規則を用いる。また、その対応付けの規則は複数規定できる。Ｅ−ＰＤＣＣＨと端末固有参照信号のアンテナポートとの対応付けが複数規定された場合、その複数の対応付けの規則からいずれかを示す情報を明示的または黙示的に通知する。その通知方法は、その複数の対応付けの規則からいずれかを示す情報をＲＲＣシグナリングにより通知し、設定することができる。また、別の通知方法は、基地局１００から通知される第２の制御チャネルに関する制御情報に含まれる制御情報に関連付けられる場合、端末２００はその複数の対応付けの規則からいずれかを識別できる。例えば、ＲＲＣシグナリングにより通知される分散マッピングまたは局所マッピングを示す情報から間接的に、複数の対応付けの規則からいずれかが通知されてもよい。また、複数の対応付けの規則からいずれかを示す情報は、端末毎に設定されてもよい。また、複数の対応付けの規則からいずれかを示す情報は、設定される第２の制御チャネル領域毎に設定されてもよい。そのため、端末２００は、複数個の第２の制御チャネル領域が設定される場合、それぞれ独立に複数の対応付けの規則からいずれかを設定してもよい。
【０１６３】
Ｅ−ＰＤＣＣＨと端末固有参照信号のアンテナポートとの対応付けの規則の例は、端末固有プレコーディングアンテナポート規則である。端末固有プレコーディングアンテナポート規則では、Ｅ−ＰＤＣＣＨを送信する端末に固有のプレコーディング処理を行うことができる。１つのＲＢは所定のリソース数に分割される。分割されたリソースはそれぞれ異なる端末固有参照信号のアンテナポートに対応付けられる。例えば、１つのＲＢは４つのリソースに分割される。分割された４つのリソースはそれぞれアンテナポート１０７〜１１０が対応付けられる。また、それぞれの分割されたリソース（分割リソース）は、局所マッピングにおけるＥ−ＣＣＥに対応付けられることができる。すなわち、局所マッピングにおけるＥ−ＣＣＥの各々は、異なるアンテナポートに対応付けられる。また、Ｅ−ＣＣＥ集合レベルが２以上の場合、それぞれのＥ−ＰＤＣＣＨは、マッピングされる分割リソースに対応付けられるアンテナポートのいずれかを用いて送信されることができる。端末２００は、ブラインドデコーディングするＥ−ＰＤＣＣＨの候補におけるリソースに応じて、復調処理するための端末固有参照信号のアンテナポートを決定する。また、端末２００は、ブラインドデコーディングするＥ−ＰＤＣＣＨの候補に対する端末固有参照信号のアンテナポートを、基地局１００から通知されてもよい。端末固有プレコーディングアンテナポート規則は、局所マッピングを行う場合に用いることが好ましい。なお、端末固有プレコーディングアンテナポート規則は、分散マッピングを行う場合に用いてもよい。
【０１６４】
Ｅ−ＰＤＣＣＨと端末固有参照信号のアンテナポートとの対応付けの規則の別の例は、共用アンテナポート規則である。共用アンテナポート規則では、複数のＥ−ＰＤＣＣＨは、所定の端末固有参照信号のアンテナポートを共用する。また、共用アンテナポート規則では、それぞれの端末は、所定の端末固有参照信号のアンテナポートを用いて、Ｅ−ＰＤＣＣＨの復調処理を行うが、そのアンテナポートの端末固有参照信号は、複数の端末間で共用される。共用アンテナポート規則が用いられる第２の制御チャネル領域では、アンテナポート１０７〜１１０の端末固有参照信号の一部または全部がＥ−ＰＤＣＣＨの復調処理のために用いられる。具体的には、共用アンテナポート規則が用いられる第２の制御チャネル領域にマッピングされるＥ−ＰＤＣＣＨにおいて、そのＥ−ＰＤＣＣＨがマッピングされるＥ−ＲＥＧまたはＥ−ＣＣＥのそれぞれは、アンテナポート１０７〜１１０のいずれかに関連付けられる。すなわち、共用アンテナポート規則が用いられる第２の制御チャネル領域において、Ｅ−ＲＥＧまたはＥ−ＣＣＥで用いられる端末固有参照信号のアンテナポートは、Ｅ−ＲＥＧ番号またはＥ−ＣＣＥ番号に基づいて、選択（決定）されるかもしれない。また、Ｅ−ＲＥＧまたはＥ−ＣＣＥで用いられる端末固有参照信号のアンテナポートは、ＲＮＴＩに基づいて、選択されるかもしれない。共用アンテナポート規則は、分散マッピングを行う場合に用いることが好ましい。なお、共用アンテナポート規則は、局所マッピングを行う場合に用いてもよい。
【０１６５】
なお、以上の説明では、第２の制御チャネル領域を構成するＲＢとＥ−ＣＣＥとのマッピング方法は、分散マッピングおよび局所マッピングで規定される場合を説明したが、これに限定するものではない。例えば、第２の制御チャネル領域を構成するＲＢとＥ−ＣＣＥとのマッピング方法は、Ｅ−ＰＤＣＣＨと端末固有参照信号のアンテナポートとの対応付けの規則で規定されてもよい。第２の制御チャネル領域を構成するＲＢとＥ−ＣＣＥとのマッピング方法は、端末固有プレコーディングアンテナポート規則および共用アンテナポート規則で規定されてもよい。例えば、以上の説明における分散マッピングは、共用アンテナポート規則を用いた場合のマッピングとしてもよい。また、以上の説明における局所マッピングは、端末固有プレコーディングアンテナポート規則を用いた場合のマッピングとしてもよい。
【０１６６】
以下では、基地局１００が端末２００に対する第２の制御チャネルの設定方法（第２の制御チャネル領域の設定方法・第２の制御チャネルのモニタリングの設定方法）が説明される。その一例として、第２の制御チャネル領域の設定および送信モードの設定が、黙示的に第２の制御チャネルのモニタリングの設定を示す。基地局１００は、端末２００に対して、上位層の制御情報（ＲＲＣシグナリング）を通じて、無線リソースに対する端末固有設定情報（ＲａｄｉｏＲｅｓｏｕｒｃｅＣｏｎｆｉｇＤｅｄｉｃａｔｅｄ）を通知することにより、第２の制御チャネルを設定する。無線リソースに対する端末固有設定情報は、リソースブロックの設定／変更／解放、物理チャネルに対する端末固有の設定等を行うために用いられる制御情報である。
【０１６７】
基地局１００は、端末２００に対して、無線リソースに対する端末固有設定情報を通知する。端末２００は、基地局１００からの無線リソースに対する端末固有設定情報に基づいて、無線リソースに対する端末固有の設定を行い、基地局１００に対して無線リソースに対する端末固有設定情報の設定完了を通知する。
【０１６８】
無線リソースに対する端末固有設定情報は、物理チャネルに対する端末固有設定情報（ＰｈｙｓｉｃａｌＣｏｎｆｉｇＤｅｄｉｃａｔｅｄ）を含んで構成される。物理チャネルに対する端末固有設定情報は、物理チャネルに対する端末固有の設定を規定する制御情報である。物理チャネルに対する端末固有設定情報は、伝送路状況レポートの設定情報（ＣＱＩ−ＲｅｐｏｒｔＣｏｎｆｉｇ）、アンテナ情報の端末固有設定情報（ＡｎｔｅｎｎａＩｎｆｏＤｅｄｉｃａｔｅｄ）、第２の制御チャネルの端末固有設定情報（ＥＰＤＣＣＨ−ＣｏｎｆｉｇＤｅｄｉｃａｔｅｄ）を含んで構成される。伝送路状況レポートの設定情報は、下りリンクにおける伝送路状況をレポートするための設定情報を規定するために用いられる。アンテナ情報の端末固有設定情報は、基地局１００における端末固有のアンテナ情報を規定するために用いられる。第２の制御チャネルの端末固有設定情報は、第２の制御チャネルの端末固有の設定情報を規定するために用いられる。また、第２の制御チャネルの端末固有の設定情報は、端末２００に固有の制御情報として通知および設定されるので、設定される第２の制御チャネル領域は、端末２００に固有の領域として設定される。
【０１６９】
伝送路状況レポートの設定情報は、非周期的な伝送路状況レポートの設定情報（ｃｑｉ−ＲｅｐｏｒｔＭｏｄｅＡｐｅｒｉｏｄｉｃ）、周期的な伝送路状況レポートの設定情報（ＣＱＩ−ＲｅｐｏｒｔＰｅｒｉｏｄｉｃ）を含んで構成される。非周期的な伝送路状況レポートの設定情報は、上りリンク共用チャネル（ＰＵＳＣＨ；Physical Uplink Shared Channel）を通じて、下りリンク１０３における伝送路状況を非周期的にレポートするための設定情報である。周期的な伝送路状況レポートの設定情報は、上りリンク制御チャネル（ＰＵＣＣＨ；Physical Uplink Control Channel）を通じて、下りリンクにおける伝送路状況を周期的にレポートするための設定情報である。
【０１７０】
アンテナ情報の端末固有設定情報は、送信モード（ｔｒａｎｓｍｉｓｓｉｏｎＭｏｄｅ）を含んで構成される。送信モードは、基地局１００が端末２００に対して通信する送信方法を示す情報である。例えば、送信モードは、送信モード１〜１０として予め規定される。送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７〜１４を用いる閉ループ空間多重方式を用いる送信モードである。また、送信モード１〜９は、第１の送信モードとも呼ばれる。
【０１７１】
送信モード１０は、送信モード１〜９とは異なる送信モードとして定義される。例えば、送信モード１０は、ＣｏＭＰ方式を用いる送信モードとすることができる。ここで、ＣｏＭＰ方式の導入による拡張は、伝送路状況レポートの最適化や精度の向上（例えば、ＣｏＭＰ通信時に好適なプレコーディング情報や基地局間の位相差情報等の導入）等を含む。また、送信モード１０は、送信モード１〜９で示す通信方式で実現できるマルチユーザＭＩＭＯ方式を拡張（高度化）した通信方式を用いる送信モードとすることができる。ここで、マルチユーザＭＩＭＯ方式の拡張は、伝送路状況のレポートの最適化や精度の向上（例えば、マルチユーザＭＩＭＯ通信時に好適なＣＱＩ（Channel Quality Indicator）情報等の導入）、同一リソースに多重される端末間の直交性の向上等を含む。また、送信モード１０は、第２の制御チャネル領域を設定できる送信モードとすることができる。また、送信モード１０は、送信モード１〜９で示した全部または一部の通信方式に加えて、ＣｏＭＰ方式および／または拡張したマルチユーザＭＩＭＯ方式を用いる送信モードとすることができる。例えば、送信モード１０は、送信モード９で示した通信方式に加えて、ＣｏＭＰ方式および／または拡張したマルチユーザＭＩＭＯ方式を用いる送信モードとすることができる。また、送信モード１０は、複数の伝送路状況測定用の参照信号（ＣＳＩ−ＲＳ；Channel State Information-RS）を設定することができる送信モードとすることができる。また、送信モード１０は、第２の送信モードとも呼ばれる。
【０１７２】
なお、基地局１００は、複数の送信方式を用いることができる送信モード１０に設定した端末に対して、データチャネルを送信するに際し、複数の送信方式のいずれかを用いたことを通知しなくても通信できる。すなわち、端末２００は、複数の送信方式を用いることができる送信モード１０に設定されたとしても、データチャネルを受信するに際し、複数の送信方式のいずれかを用いたことが通知されなくても通信できる。
【０１７３】
ここで、第２の送信モードは、第２の制御チャネルを設定できる送信モードである。すなわち、基地局１００は、端末２００に対して、第１の送信モードに設定した場合、端末２００に対する制御チャネルを第１の制御チャネル領域にマッピングする。また、基地局１００は、端末２００に対して、第２の送信モードに設定した場合、端末２００に対する制御チャネルを第１の制御チャネル領域および／または第２の制御チャネル領域にマッピングする。一方、端末２００は、基地局１００によって、第１の送信モードに設定された場合、第１の制御チャネルに対してブラインドデコーディングする。また、端末２００は、基地局１００によって、第２の送信モードに設定された場合、第１の制御チャネルおよび／または第２の制御チャネルに対してブラインドデコーディングする。
【０１７４】
また、端末２００は、送信モードに関わらず、基地局１００によって第２の制御チャネルの端末固有設定情報が設定されたか否かに基づいて、ブラインドデコーディングする制御チャネルを設定する。すなわち、基地局１００は、端末２００に対して、第２の制御チャネルの端末固有設定情報が設定していない場合、端末２００に対する制御チャネルを第１の制御チャネル領域にマッピングする。また、基地局１００は、端末２００に対して、第２の制御チャネルの端末固有設定情報が設定した場合、端末２００に対する制御チャネルを第１の制御チャネル領域および／または第２の制御チャネル領域にマッピングする。一方、端末２００は、基地局１００によって、第２の制御チャネルの端末固有設定情報が設定された場合、第１の制御チャネルおよび／または第２の制御チャネルをブラインドデコーディングする。また、端末２００は、基地局１００によって、第２の制御チャネルの端末固有設定情報が設定されない場合、第１の制御チャネルをブラインドデコーディングする。
【０１７５】
第２の制御チャネルの端末固有設定情報は、第２の制御チャネルのサブフレーム設定情報（ＥＰＤＣＣＨ−ＳｕｂｆｒａｍｅＣｏｎｆｉｇ−ｒ１１）を含んで構成される。第２の制御チャネルのサブフレーム設定情報は、第２の制御チャネルを設定するためのサブフレーム情報を規定するために用いられる。第２の制御チャネルのサブフレーム設定情報は、サブフレーム設定パターン（ｓｕｂｆｒａｍｅＣｏｎｆｉｇＰａｔｔｅｒｎ−ｒ１１）、第２の制御チャネルの設定情報（ｅｐｄｃｃｈ−Ｃｏｎｆｉｇ−ｒ１１）を含んで構成される。
【０１７６】
サブフレーム設定パターンは、第２の制御チャネルを設定するサブフレームを示す情報である。例えば、サブフレーム設定パターンは、ｎビットのビットマップ形式の情報である。各ビットに示す情報は、第２の制御チャネルとして設定されるサブフレームであるか否かを示す。すなわち、サブフレーム設定パターンは、ｎ個のサブフレームを周期として設定できる。そのとき、同期信号や報知チャネル等がマッピングされる所定のサブフレームは除外されることができる。具体的には、それぞれのサブフレームに規定されるサブフレーム番号をｎで除算した余りが、サブフレーム設定パターンの各ビットに対応する。例えば、ｎは８や４０等の値を予め規定しておく。サブフレーム設定パターンのあるサブフレームに対する情報が「１」である場合、そのサブフレームは、第２の制御チャネルとして設定される。サブフレーム設定パターンのあるサブフレームに対する情報が「０」である場合、そのサブフレームは、第２の制御チャネルとして設定されない。また、端末２００が基地局１００と同期を取るための同期信号や基地局１００の制御情報を報知する報知チャネル等がマッピングされる所定のサブフレームは、第２の制御チャネルとして予め設定されないようにすることができる。また、サブフレーム設定パターンの別の例では、第２の制御チャネルとして設定されるサブフレームのパターンが予めインデックス化され、そのインデックスを示す情報がサブフレーム設定パターンとして規定される。
【０１７７】
第２の制御チャネルの端末固有設定情報は、リソース割り当て情報（ｒｅｓｏｕｒｃｅＢｌｏｃｋＡｓｓｉｇｎｍｅｎｔ−ｒ１１）を含んで構成される。リソース割り当て情報は、第２の制御チャネルとして設定するリソースブロックを指定する情報である。例えば、第２の制御チャネル領域は、１つのＲＢペアを単位として、設定することができる。
【０１７８】
以上のように、基地局１００は、端末２００に対して、第２の制御チャネルを設定する場合、ＲＲＣシグナリングにより、無線リソースに対する端末固有設定情報に第２の制御チャネルの端末固有設定情報を含めて通知する。また、基地局１００は、端末２００に対して、設定された第２の制御チャネルを変更する場合、同様にＲＲＣシグナリングにより、パラメータを変更した第２の制御チャネルの端末固有設定情報を含む無線リソースに対する端末固有設定情報を通知する。また、基地局１００は、端末２００に対して、設定された第２の制御チャネルを解放（リリース）する場合、同様にＲＲＣシグナリングにより通知する。例えば、第２の制御チャネルの端末固有設定情報を含まない無線リソースに対する端末固有設定情報を通知する。また、第２の制御チャネルの端末固有設定情報を解放するための制御情報を通知してもよい。
【０１７９】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【０１８０】
また、上記各実施形態では、ＰＤＳＣＨ領域に配置される拡張された物理下りリンク制御チャネル１０３をＥ−ＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、Ｅ−ＰＤＣＣＨとＰＤＣＣＨとを区別する上記各実施形態と実質的に同じである。
【０１８１】
なお、端末が基地局と通信を開始する際に、基地局に対して上記各実施形態で記載の機能が使用可能であるか否かを示す情報（端末能力情報，あるいは機能グループ情報）を基地局に通知することにより、基地局は上記各実施形態で記載の機能が使用可能であるか否かを判断することができる。より具体的には、上記各実施形態で記載の機能が使用可能である場合に、端末能力情報にそれを示す情報を含め、上記各実施形態で記載の機能が使用可能ではない場合には、端末能力情報に本機能に関する情報を含めないようにすればよい。あるいは、上記各実施形態で記載の機能が使用可能である場合に、機能グループ情報の所定ビットフィールドに１を立て、上記各実施形態で記載の機能が使用可能ではない場合には、機能グループ情報の所定ビットフィールドを０とするようにすればよい。
【０１８２】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０１８３】
本発明に関わる基地局１００および端末２００で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１８４】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１００および端末２００の一部、または全部を典型的には集積回路であるＬＳＩとして実現してもよい。基地局１００および端末２００の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１８５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１８６】
本発明は、無線基地局装置や無線端末装置や無線通信システムや無線通信方法に用いて好適である。
【符号の説明】
【０１８７】
１００  基地局
１０１、２０６  上位レイヤー
１０２  データチャネル生成部
１０３  第２の制御チャネル生成部
１０４  端末固有参照信号多重部
１０５  プレコーディング部
１０６  第１の制御チャネル生成部
１０７  セル固有参照信号多重部
１０８  送信信号生成部
１０９  送信部
２００、１１０４  端末
２０１  受信部
２０２  受信信号処理部
２０３  伝搬路推定部
２０４  制御チャネル処理部
２０５  データチャネル処理部
１８０１  マクロ基地局
１８０２、１８０３  ＲＲＨ
１８０８、１８０９  回線
１８０５、１８０６、１８０７  カバレッジ
【図１】
2014023018.tif 000003
【図２】
2014023018.tif 000004
【図３】
2014023018.tif 000005
【図４】
2014023018.tif 000006
【図５】
2014023018.tif 000007
【図６】
2014023018.tif 000008
【図７】
2014023018.tif 000009
【図８】
2014023018.tif 000010
【図９】
2014023018.tif 000011
【図１０】
2014023018.tif 000012
【図１１】
2014023018.tif 000013
【図１２】
2014023018.tif 000014
【図１３】
2014023018.tif 000015
【図１４】
2014023018.tif 000016
【図１５】
2014023018.tif 000017
【図１６】
2014023018.tif 000018
【図１７】
2014023018.tif 000019
【図１８】
2014023018.tif 000020